(57)【要約】  情報端末は、マイクロフォンから入力される再生装置の再生音に含まれる情報コードを抽出する。再生装置は、放送局からの放送信号に含まれる放送コンテンツをユーザが認識可能な形態で再生し、当該放送信号に含まれる情報コードをユーザが認識困難な音声で再生する。情報端末は、抽出された情報コードを含む問合せ信号を情報提供サーバに送信し、当該問合せ信号に含まれる情報コードの放送前に放送された旧情報コードを情報提供サーバから受信する。更に、情報端末は、当該旧情報コードに対応するネットワークコンテンツを取得し、これをユーザに向けて出力する。
2013118711.tif 000002
【特許請求の範囲】
【請求項１】
情報端末であって、
放送局から出力される放送信号に含まれる放送コンテンツをユーザが認識可能な形態で再生し、前記放送コンテンツと共に前記放送信号に含まれる情報コードをユーザが認識困難な音声で再生する再生装置、の再生音を入力可能なマイクロフォンと、
前記マイクロフォンから入力される前記再生音に含まれる前記情報コードを抽出する抽出手段と、
前記抽出手段により抽出された前記情報コードを含む問合せ信号を、ネットワークを通じて情報提供サーバに送信する問合せ手段と、
前記問合せ信号に応じて前記情報提供サーバから送信される、前記問合せ信号に含まれる前記情報コードの放送前に放送された情報コードである旧情報コードを、前記ネットワークを通じて受信する旧情報コード受信手段と、
前記旧情報コード受信手段により受信された前記旧情報コードに対応するネットワークコンテンツを、前記ネットワークを通じて取得し、前記取得したネットワークコンテンツを、ユーザに向けて画像及び音声の少なくとも一方の形態で出力するコンテンツ出力手段と、
を備える情報端末。
【請求項２】
情報端末と通信可能なネットワークに接続される情報提供サーバであって、
放送局から出力される放送信号に組み込まれる情報コードの夫々を、前記放送局から出力される順序である放送順の情報を含んだ形態で記憶する記憶手段と、
前記情報端末であって、前記放送局から出力される前記放送信号に含まれる放送コンテンツをユーザが認識可能な形態で再生し、前記放送コンテンツと共に前記放送信号に含まれる前記情報コードをユーザが認識困難な音声で再生する再生装置、の再生音に含まれる前記情報コードを抽出し、当該抽出した前記情報コードを含む問合せ信号を送信する情報端末から、前記ネットワークを通じて前記問合せ信号を受信すると、前記問合せ信号に含まれる前記情報コードの放送前に放送された情報コードである旧情報コードを、前記記憶手段の参照により特定し、当該旧情報コードを前記情報端末に前記ネットワークを通じて送信する旧情報コード送信手段と、
を備える情報提供サーバ。
【発明の詳細な説明】
【関連出願の相互参照】
【０００１】
本国際出願は、２０１２年２月８日に日本国特許庁に出願された日本国特許出願第２０１２−０２５２７１号に基づく優先権を主張するものであり、日本国特許出願第２０１２−０２５２７１号の全内容を参照により本国際出願に援用する。
【技術分野】
【０００２】
本発明は、放送コンテンツに付加される情報コードを用いた処理を実行するシステム及びこのシステムを構成する装置に関する。
【背景技術】
【０００３】
放送コンテンツに情報コードを付加した放送信号を放送局から出力する技術が知られている。例えば、情報コードは、ユーザが認識困難な音声の形態で、番組やコマーシャル等の放送コンテンツに付加される。【０００４】
テレビジョン装置は、受信した放送信号を再生することにより、放送コンテンツを映像及び音声の形態で出力すると共に、この放送コンテンツに付加された上記情報コードをユーザが認識困難な音声の形態で出力する。出力された情報コードは、例えば、マイクロフォンを介してスマートフォン等の情報端末により抽出される。【０００５】
上記情報コードを放送音声に組み込む技術としては、例えば、特許文献１記載の技術が知られている。この技術によれば、送信側では、拡散符号を送信対象のデータ符号で変調する。当該変調した拡散符号を差動符号化する。そして、この差動符号を人に聞こえ辛い周波数（例えば、１６ＫＨｚ）のキャリア信号と乗算して周波数シフトする。この符号変調信号を、可聴周波数帯の音声信号とミキシングして送信する。【０００６】
一方、受信側では、受信した音声信号から符号変調信号をフィルタにより抽出する。更に、当該抽出した符号変調信号を差動符号１チップ分の遅延時間で遅延検波する。そして、遅延検波された信号波形と拡散符号との同期を検出する。検出された同期点のピーク極性に基づきデータ符号を復調する。
【先行技術文献】
【特許文献】
【０００７】
【特許文献１】特開２０１１−９７２４２号公報
【発明の概要】
【発明が解決しようとする課題】
【０００８】
上述したように、放送コンテンツに、情報コードを音声の形態で付加する放送サービスは、実験的に開始されはじめたばかりである。従って、本発明の一局面では、このサービスの普及のために、情報コードの利用を促進可能な技術を提供できることが好ましい。【０００９】
付言すれば、情報コードは、視聴者をインターネット上の広告ページ（サイト）に誘導するために、コマーシャルに対応付けて放送され得る。情報コードがコマーシャルに対応付けられて放送される場合、視聴者は、興味のあるコマーシャルの放送中に、情報端末を操作して、情報端末に放送音声を解析させることで、放送音声に含まれる情報コードから特定される、コマーシャルに対応した広告ページにアクセスすることができる。【００１０】
しかしながら、コマーシャルは、周知のように１５秒や３０秒といった短い単位で切り替えられる。従って、コマーシャルに対応付けて情報コードが放送される場合、情報コードもコマーシャルに合わせて短い単位で切り替えられることになる。【００１１】
そして、短い単位で情報コードが切り替えられる環境では、視聴者が放送中のコマーシャルに対応する広告ページを見たいと考えて、情報端末を操作しても、次のような問題が生じ得る。即ち、操作をしている途中にコマーシャル及び情報コードが切り替わってしまい、視聴者が関心を有するコマーシャルに対応した情報コードの情報端末による取得が間に合わないといった問題が生じる。このような環境では、視聴者が、所望する広告ページ等のネットワークコンテンツを、利用できないことが考えられる。【００１２】
従って、本発明の別の局面では、視聴者の操作遅れ等に起因して、視聴者の所望する情報コードやネットワークコンテンツが、視聴者の所有する情報端末側で取得できなくなるのを抑制できることが好ましい。
【課題を解決するための手段】
【００１３】
本発明の第一局面の情報提供システムは、情報端末と情報提供サーバとを備える。第一局面の情報端末及び情報提供サーバは、次のように構成される。情報端末は、放送局から出力される放送信号を再生する再生装置の再生音を入力可能なマイクロフォンを備える。【００１４】
再生装置は、放送局から出力される放送信号に含まれる放送コンテンツをユーザが認識可能な形態で再生し、放送コンテンツと共に放送信号に含まれる情報コードをユーザが認識困難な音声で再生するものである。【００１５】
放送局としては、放送コンテンツに、当該放送コンテンツに対応する情報コードを付加した放送信号を出力する放送局を一例に挙げることができる。特に、放送コンテンツに、上記情報コードをユーザが認識困難な音声により付加した放送信号を出力する放送局を一例に挙げることができる。再生装置は、単なるディジタルデータの形態で放送される情報コードを、対応する放送コンテンツの再生時に、ユーザが認識困難な音声により再生するものであってもよい。【００１６】
第一局面の情報提供サーバは、記憶手段と、旧情報コード送信手段と、を備える。情報提供サーバは、情報端末と通信可能なネットワークに接続される。記憶手段は、放送局から出力される放送信号に組み込まれる情報コードの夫々を、放送局から出力される順序である放送順の情報を含んだ形態で記憶する。旧情報コード送信手段は、情報端末からネットワークを通じて問合せ信号を受信すると、問合せ信号に含まれる情報コードの放送前に放送された情報コードである旧情報コードを、記憶手段の参照により特定し、当該旧情報コードを問合せ信号の送信元である情報端末にネットワークを通じて送信する。【００１７】
一方、第一局面の情報端末は、マイクロフォンの他に、抽出手段、問合せ手段、旧情報コード受信手段及びコンテンツ出力手段を備える。抽出手段は、マイクロフォンから入力される再生音に含まれる情報コードを抽出する。問合せ手段は、抽出手段により抽出された情報コードを含む問合せ信号を情報提供サーバに送信する。【００１８】
旧情報コード受信手段は、問合せ信号に応じて情報提供サーバから送信される旧情報コードを受信する。コンテンツ出力手段は、旧情報コード受信手段により受信された旧情報コードに対応するネットワークコンテンツを、ネットワークを通じて取得し、取得したネットワークコンテンツを、ユーザに向けて出力する。具体的に、ネットワークコンテンツは、画像（映像）及び音声の少なくとも一方の形態で出力され得る。【００１９】
この情報提供システムによれば、情報コードを用いた情報端末からの問合せに対し、情報提供サーバが、この情報コードの前に放送された情報コードを情報端末に知らせる。従って、情報端末のユーザは、情報端末に対する操作の遅れにより、所望の放送コンテンツ（番組やコマーシャル等）に対応する情報コードを、情報端末を通じて放送音声から取得できない場合でも、この情報コードに対応したネットワークコンテンツを利用することができる。【００２０】
即ち、この情報提供システムによれば、ユーザの操作遅れ等の影響を抑えて、ユーザが望むネットワークコンテンツをユーザに提供することができ、情報コードの利用を促進することができる。【００２１】
付言すると、上述の情報端末は、旧情報コードに対応するネットワークコンテンツに限らず、抽出手段により抽出された情報コードに対応するネットワークコンテンツを取得し、このネットワークコンテンツをユーザに提供する構成にすることができる。【００２２】
即ち、コンテンツ出力手段は、旧情報コード受信手段により受信された旧情報コードに対応するネットワークコンテンツ及び抽出手段により抽出された情報コードに対応するネットワークコンテンツを取得可能な構成にすることができる。【００２３】
更に言えば、コンテンツ出力手段は、旧情報コードに対応するネットワークコンテンツ及び抽出手段により抽出された情報コードに対応するネットワークコンテンツのいずれか一方を、ユーザからの指示に従って選択的に出力する構成にすることができる。【００２４】
この構成によれば、情報端末により抽出された情報コードが、ユーザ所望のネットワークコンテンツに対応する情報コードであっても、適切にユーザに対しネットワークコンテンツを提供することができる。【００２５】
また、上述の情報提供システムは、放送局から出力される放送信号に組み込まれる情報コード毎に、この情報コードに対応するコンテンツ情報として、この情報コードに対応するネットワークコンテンツ、及び、このネットワークコンテンツのアドレス情報の少なくとも一方を記憶するコンテンツ情報記憶手段を備えた構成にすることができる。
ネットワークコンテンツのアドレス情報とは、このネットワークコンテンツのネットワークにおける格納位置を表す情報のことである。アドレス情報としては、周知のＵＲＬ情報を一例に挙げることができる。【００２６】
コンテンツ出力手段は、このコンテンツ情報記憶手段にアクセスして、旧情報コードに対応するネットワークコンテンツを取得する構成にすることができる。このコンテンツ情報記憶手段は、例えば、上記ネットワークに接続された情報提供サーバ及び情報提供サーバとは異なる外部サーバの一方に設けることができる。【００２７】
即ち、コンテンツ出力手段は、コンテンツ情報記憶手段として機能する情報提供サーバ及び情報提供サーバとは異なる外部サーバの一方から、旧情報コードに対応するネットワークコンテンツ及びアドレス情報の一方を取得し、この情報に基づき、旧情報コードに対応するネットワークコンテンツを出力する構成にすることができる。【００２８】
この構成によれば、放送局から放送される情報コードがネットワークコンテンツのアドレス情報等でなくても、情報端末側では、情報コードに基づき、この情報コードに対応するネットワークコンテンツを取得することができる。【００２９】
また、本発明の第二局面の情報提供システムは、当該システムを構成する情報端末及び情報提供サーバが次のように構成されていることを特徴とする。
第二局面の情報提供サーバは、記憶手段及びコンテンツ情報送信手段を備える。コンテンツ情報送信手段は、情報端末からネットワークを通じて問合せ信号を受信すると、問合せ信号に含まれる情報コードの放送前に放送された情報コードである旧情報コードに対応するコンテンツ情報（ネットワークコンテンツ及びそのアドレス情報の一方）を、記憶手段の参照により特定し、当該コンテンツ情報を問合せ信号の送信元である情報端末にネットワークを通じて送信する。【００３０】
情報提供サーバの記憶手段は、放送局から出力される放送信号に組み込まれる情報コードの夫々を、放送局から出力される順序である放送順の情報を含んだ形態で記憶し、更に、情報コードの夫々に対応するネットワークコンテンツ及び当該ネットワークコンテンツのアドレス情報の一方を、コンテンツ情報として記憶する。【００３１】
第二局面の情報端末は、上述した第一局面の情報端末と同様の抽出手段及び問合せ手段に加えて、コンテンツ情報受信手段とコンテンツ出力手段とを備える。コンテンツ情報受信手段は、上記問合せ信号に応じて情報提供サーバから送信されるコンテンツ情報を受信する。【００３２】
コンテンツ出力手段は、コンテンツ情報受信手段により受信されたコンテンツ情報に基づき、旧情報コードに対応するネットワークコンテンツを、ユーザに向けて出力する。この情報提供システムによっても、第一局面の情報提供システムと同様の効果を得ることができる。【００３３】
付言すれば、この情報提供システムにおいて、情報提供サーバが備えるコンテンツ情報送信手段は、旧情報コードに対応するコンテンツ情報と共に、問合せ信号に含まれる情報コードに対応するコンテンツ情報を、問合せ信号の送信元である情報端末にネットワークを通じて送信する構成にすることができる。【００３４】
そして、情報端末のコンテンツ出力手段は、旧情報コードに対応するネットワークコンテンツ及び抽出手段により抽出された情報コードに対応するネットワークコンテンツを出力する構成にすることができる。更に、当該コンテンツ出力手段は、これら二つのネットワークコンテンツのいずれか一方を、ユーザからの指示に従って選択的に出力する構成にすることができる。【００３５】
この他、本発明の第三局面の情報提供システムは、当該システムを構成する情報端末及び情報提供サーバが次のように構成されていることを特徴とする。第三局面の情報端末は、第二局面の情報端末と同様に構成される。一方、第三局面の情報提供サーバは、上記放送局からの放送信号に含まれる情報コードが放送時刻を表す情報コードであることを前提として、次のように構成される。【００３６】
第三局面の情報提供サーバは、記憶手段及びコンテンツ情報送信手段を備える。記憶手段は、放送コンテンツ毎に、当該放送コンテンツの放送時刻に対応付けて、この放送コンテンツに対応するネットワークコンテンツ及び当該ネットワークコンテンツのアドレス情報の少なくとも一方を、コンテンツ情報として記憶する。【００３７】
コンテンツ情報送信手段は、情報端末からネットワークを通じて問合せ信号を受信すると、問合せ信号に含まれる情報コードが表す放送時刻に放送された放送コンテンツの前に放送された放送コンテンツである旧放送コンテンツに対応するコンテンツ情報を、記憶手段の参照により特定し、このコンテンツ情報を問合せ信号の送信元である情報端末にネットワークを通じて送信する。この構成によっても、第二局面の情報提供システムと同様の効果を得ることができる。【００３８】
ところで、放送局は、番組単位やコマーシャル単位等の放送コンテンツ単位で、放送する情報コードを切り替える構成にされてもよいが、放送局は、放送コンテンツの単位に依らない細かな時間単位（例えば秒単位）で、放送時刻を表す情報コードを放送する構成にされてもよい。
そして、この情報コードを含む問合せ信号を処理する情報提供サーバは、問合せ信号に含まれる情報コードが表す放送時刻が、いずれの放送コンテンツの放送期間に属する時刻であるかを特定し、この結果に基づいて、旧放送コンテンツに対応するコンテンツ情報を特定する構成にすることができる。【００３９】
また、第三局面の情報提供システムにおいて、コンテンツ情報送信手段は、旧放送コンテンツに対応するコンテンツ情報と共に、問合せ信号に含まれる情報コードが表す放送時刻に放送された放送コンテンツに対応するコンテンツ情報を、問合せ信号の送信元である情報端末にネットワークを通じて送信する構成にすることができる。【００４０】
そして、コンテンツ出力手段は、コンテンツ情報受信手段により受信されたコンテンツ情報に基づき、旧放送コンテンツに対応するネットワークコンテンツ及び抽出手段により抽出された情報コードが表す放送時刻に放送された放送コンテンツに対応するネットワークコンテンツを出力する構成にすることができる。具体的に、コンテンツ出力手段は、これら二つのネットワークコンテンツのいずれか一方を、ユーザからの指示に従って選択的に出力する構成にすることができる。【００４１】
また、上述した第一〜第三局面の情報提供システムの夫々において、情報コードは、この情報コードが付加される放送コンテンツを放送する放送局を表すコード部分を含む構成にすることができる。例えば、情報コードは、放送局を表すコード部分と、この情報コードが付加される放送コンテンツ別のコード部分及び放送時刻を表すコード部分の一方と、を含む構成にすることができる。【００４２】
この構成によれば、ユーザが情報端末に対して放送局コードを入力する等して、情報コードの放送元の情報を情報端末に提供しなくても、複数の放送局の夫々で放送される情報コードに対応したネットワークコンテンツをユーザに提供可能な情報提供システムを構成することができる。【００４３】
また、本発明の第四局面の再生装置は、放送局からの放送信号を受信して再生する再生装置であって、受信再生手段と、履歴記憶手段と、問合せ信号受信手段と、旧情報コード送信手段と、を備える。【００４４】
受信再生手段は、放送局から受信した放送信号に含まれる放送コンテンツをユーザが認識可能な形態で再生すると共に、放送信号に含まれる情報コードをユーザが認識困難な音声で再生する。一方、履歴記憶手段は、受信再生手段により再生された情報コードの再生履歴を記憶する。再生履歴は、例えば、再生された情報コードのリストとしての形態を採り得る。【００４５】
問合せ信号受信手段は、情報端末から情報コードを含む問合せ信号を受信する。旧情報コード送信手段は、問合せ信号受信手段が情報端末から問合せ信号を受信すると、問合せ信号に含まれる情報コードの再生前に再生された情報コードである旧情報コードを、履歴記憶手段の参照により特定し、当該旧情報コードを問合せ信号の送信元である情報端末に送信する。【００４６】
この再生装置を用いれば、情報端末のユーザは、操作遅れ等により、取得を望む情報コードの放送期間に情報端末を通じた情報コードの取得が間に合わない場合でも、この情報コードを、再生装置を通じて取得することができる。そして、当該情報コードに基づき、対応するネットワークコンテンツを取得することができる。【００４７】
更に、第四局面の再生装置に対応して、情報端末は、次の特徴を有する、マイクロフォンと、抽出手段と、問合せ手段と、旧情報コード受信手段と、コンテンツ出力手段と、を備えた構成にすることができる。【００４８】
即ち、情報端末は、マイクロフォンから入力される上記再生装置の再生音に含まれる情報コードを抽出手段により抽出し、当該抽出された情報コードを含む問合せ信号を問合せ手段により再生装置に送信する。【００４９】
情報端末は、この問合せ信号に応じて再生装置から送信される旧情報コードを旧情報コード受信手段により受信する。コンテンツ出力手段は、このように受信された旧情報コードに対応するネットワークコンテンツを、ネットワークを通じて外部サーバから取得し、当該取得したネットワークコンテンツを、ユーザに向けて出力する構成にすることができる。【００５０】
この情報端末及び再生装置を用いて情報提供システムを構成する場合、ネットワークには、情報コード毎に、当該情報コードに対応するネットワークコンテンツのアドレス情報を記憶する情報提供サーバを接続することができる。【００５１】
そして、情報端末が備えるコンテンツ出力手段は、ネットワークを通じて情報提供サーバにアクセスして、旧情報コードに対応するアドレス情報を取得し、当該アドレス情報に基づき、取得対象のネットワークコンテンツを、ネットワークを通じて外部サーバから取得する構成にすることができる。【００５２】
別例として、ネットワークには、情報コード毎に、当該情報コードに対応するネットワークコンテンツを記憶する情報提供サーバを上記外部サーバとして接続してもよい。そして、コンテンツ出力手段は、ネットワークを通じて情報提供サーバにアクセスして、旧情報コードに対応するネットワークコンテンツを取得する構成にされてもよい。【００５３】
この情報端末においても、コンテンツ出力手段は、旧情報コードに対応するネットワークコンテンツ及び抽出手段により抽出された情報コードに対応するネットワークコンテンツを、ネットワークを通じて外部サーバから取得して、ユーザに向けて出力する構成にすることができる。【００５４】
付言すれば、コンテンツ出力手段は、旧情報コードに対応するネットワークコンテンツ及び抽出手段により抽出された情報コードに対応するネットワークコンテンツの内、ユーザにより選択されたネットワークコンテンツをユーザに向けて出力する構成にすることができる。【００５５】
また、第四局面の再生装置と情報端末とを用いて情報提供システムを構成する場合には、再生装置と情報端末とを互いに無線通信可能な構成にされるとよい。このように無線通信可能に再生装置と情報端末とを構成すれば、情報端末のユーザは、当該情報端末の簡単な操作により再生装置から旧情報コードを取得することができる。【００５６】
また、再生装置は、旧情報コードではなく、旧情報コードに対応するコンテンツ情報を、情報端末に提供する構成にされてもよい。
本発明の第五局面の再生装置は、第四局面の再生装置と同様の受信再生手段、履歴記憶手段及び問合せ信号受信手段を備えると共に、次の旧情報コード特定手段及びコンテンツ情報送信手段を備える。【００５７】
この再生装置において、旧情報コード特定手段は、問合せ信号受信手段が情報端末から問合せ信号を受信すると、問合せ信号に含まれる情報コードの再生前に再生された情報コードである旧情報コードを、履歴記憶手段の参照により特定する。コンテンツ情報送信手段は、コンテンツ情報記憶装置にアクセスして、旧情報コード特定手段により特定された旧情報コードに対応するコンテンツ情報を取得し、当該取得したコンテンツ情報を問合せ信号の送信元である情報端末に送信する。【００５８】
コンテンツ情報記憶装置は、放送局から出力される放送信号に組み込まれる情報コード毎に、当該情報コードに対応するネットワークコンテンツ、及び、このネットワークコンテンツのアドレス情報の少なくとも一方を、コンテンツ情報として記憶する構成にすることができる。このコンテンツ情報記憶装置は、例えば、再生装置が通信可能なネットワークにサーバとして設けられてもよいし、再生装置に内蔵されてもよい。このような構成によっても、第四局面の再生装置と同様の効果を得ることができる。【００５９】
ユーザの操作遅れが生じても、ユーザの所望する情報コードやネットワークコンテンツをユーザに提供できるようにすることは、次のように放送信号生成装置を構成することによっても実現できる。【００６０】
本発明の第六局面の放送信号生成装置は、放送局から出力する放送信号を生成する放送信号生成手段と、放送コンテンツに付加する情報コード群を設定する設定手段とを備える。放送信号生成手段は、予め定められた放送スケジュールに従う放送コンテンツに、設定手段により設定された情報コード群を付加することによって、放送コンテンツに情報コード群を付加した構成の放送信号を生成する。例えば、放送信号生成手段は、放送コンテンツに上記情報コード群をユーザが認識困難な音声により付加する。【００６１】
設定手段は、放送信号に組み込まれる放送コンテンツの変化に伴って放送コンテンツに付加する情報コード群の更新タイミングが到来する度、当該到来した更新タイミングまでに放送コンテンツに付加された情報コード群の内、放送コンテンツへの付加の開始時期が最新の情報コード又は開始時期が最新の情報コードから所定個前までの情報コードと、放送コンテンツの変化に伴って今回新たに付加する対象となった情報コードと、の組合せからなる情報コード群を、放送コンテンツに付加する情報コード群に設定する。【００６２】
この放送信号生成装置を用いれば、情報端末では、放送信号に基づき、現在放送中の放送コンテンツよりも古い放送コンテンツの放送に併せて放送された情報コードを抽出することができる。従って、この放送信号生成装置によれば、ユーザの操作遅れが生じても、ユーザの所望する情報コードやネットワークコンテンツをユーザに提供することができる。【００６３】
この放送信号生成装置によって生成された放送信号を受信して再生する再生装置に対応して、情報端末は、次のように構成することができる。再生装置は、放送信号に含まれる放送コンテンツをユーザが認識可能な形態で再生し、放送コンテンツと共に放送信号に含まれる上記情報コード群をユーザが認識困難な音声で再生する。【００６４】
この再生装置に対応する情報端末は、マイクロフォン、抽出手段及びコンテンツ出力手段を備える。そして、マイクロフォンから入力される上記再生装置の再生音に含まれる情報コード群を抽出手段により抽出する。このように抽出した情報コード群に属する情報コードの夫々に対応するネットワークコンテンツを、コンテンツ出力手段により、ネットワークを通じて外部サーバから取得する。情報端末は、このネットワークコンテンツを、ユーザに向けて出力する構成にすることができる。【００６５】
更に言えば、コンテンツ出力手段は、抽出手段により抽出された情報コード群に属する情報コードの夫々に対応するネットワークコンテンツの内、ユーザにより選択されたネットワークコンテンツを選択的に出力する構成にすることができる。このように情報端末を構成すれば、ユーザが所望するネットワークコンテンツを適切に出力することができる。【００６６】
また、放送信号生成装置は、次のように構成されてもよい。本発明の第七局面の放送信号生成装置は、放送局から出力する放送信号を生成する放送信号生成手段と、放送コンテンツに付加する情報コードを設定する第一及び第二の設定手段とを備える。【００６７】
この放送信号生成装置では、放送信号生成手段が、放送コンテンツに情報コードを付加した放送信号を生成する。一方、第一の設定手段は、当該放送コンテンツに付加する第一の情報コードとして、放送コンテンツに対応した情報コードを設定する。第二の設定手段は、放送コンテンツに付加する第二の情報コードとして、第一の設定手段により設定された第一の情報コードを第一の設定手段より遅れて設定する。【００６８】
即ち、放送信号生成手段は、第一の設定手段により設定された第一の情報コードと第二の設定手段により設定された第二の情報コードとを放送コンテンツに付加することによって、放送局から出力する放送信号を生成する。【００６９】
この放送信号生成手段は、例えば、第一及び第二の情報コードをユーザが認識困難な音声により付加した放送信号を生成する構成にすることができる。この他、放送信号生成手段は、第一の情報コード及び第二の情報コードの夫々を互いに異なる周波数帯の音声信号として、放送コンテンツに付加して上記放送信号を生成する構成にすることができる。【００７０】
この放送信号生成装置を用いて放送信号を生成すれば、放送信号を受信及び再生する再生装置では、放送コンテンツの再生時に、この放送コンテンツに対応する情報コード（第一の情報コード）の他に、その前に放送された放送コンテンツに対応する情報コード（第二の情報コード）を再生することができる。【００７１】
従って、この放送信号生成装置を用いれば、情報端末では、再生装置からの再生音に基づき、現在放送中の放送コンテンツよりも古い放送コンテンツの放送に併せて放送された情報コードを抽出することができる。【００７２】
この第七局面の放送信号生成装置によって生成された放送信号を受信して再生する再生装置に対応して、情報端末は、次のように構成することができる。再生装置は、放送信号に含まれる放送コンテンツをユーザが認識可能な形態で再生し、放送コンテンツと共に放送信号に含まれる上記第一及び第二の情報コードをユーザが認識困難な音声で再生する。【００７３】
この再生装置に対応する情報端末は、マイクロフォン、抽出手段及びコンテンツ出力手段を備える。そして、マイクロフォンから入力される上記再生装置の再生音に含まれる第一及び第二の情報コードを抽出手段により抽出する。このように抽出した第一及び第二の情報コードの夫々に対応するネットワークコンテンツを、コンテンツ出力手段により、ネットワークを通じて外部サーバから取得する。情報端末は、このネットワークコンテンツを、ユーザに向けて出力する構成にすることができる。【００７４】
更に言えば、コンテンツ出力手段は、抽出手段により抽出された第一及び第二の情報コードの夫々に対応するネットワークコンテンツの内、ユーザにより選択されたネットワークコンテンツを選択的に出力する構成にすることができる。このように情報端末を構成すれば、ユーザが所望するネットワークコンテンツを適切に出力することができる。【００７５】
また、情報コードの利用を促進するために、情報端末は、自動的に再生装置の再生音から情報コードを抽出する動作を繰り返し、これらの情報コードに対応するネットワークコンテンツをユーザに向けて出力する構成にされてもよい。【００７６】
但し、再生装置の再生音から情報コードを抽出する動作を繰り返す場合には、放送及び再生される情報コードの変化を考慮しないと、不必要な抽出動作が増えてしまう。そして、情報端末がバッテリで動作する携帯端末である場合には、不必要な抽出動作によってバッテリの消耗が激しくなる。【００７７】
そこで、情報端末での情報コードの効率的な収集（抽出）を実現するために、放送信号生成装置は次のように構成されてもよい。本発明の第八局面の放送信号生成装置は、放送局から出力する放送信号を生成する放送信号生成手段と、設定手段と、更新時刻特定手段と、を備える。設定手段は、放送コンテンツに付加する情報コードを、当該放送コンテンツの変化に合わせて切り替えるように設定する。放送信号生成手段は、予め定められた放送スケジュールに従う放送コンテンツに、設定手段により設定された情報コードをユーザが認識困難な音声により付加することによって、放送コンテンツに情報コードを付加した構成の放送信号を生成する。【００７８】
更新時刻特定手段は、放送局から出力される放送信号に組み込まれる情報コードが次に更新される時刻である更新時刻を、放送スケジュールに基づき特定する。上記放送信号生成手段は、放送コンテンツに、設定手段により設定された上記情報コードに加えて、この更新時刻特定手段により特定された更新時刻を表す付属コードを、ユーザが認識困難な音声により付加することによって、上記放送信号を生成する。【００７９】
この放送信号生成装置を用いれば、情報端末側では、放送信号に含まれる上記付属コードに基づいて、適切なタイミングで情報コードの抽出動作を実行することができる。従って、繰り返し情報コードの抽出動作を行う際に、これを効率的に行うことができて、結果として、情報コードの利用を促進することができる。【００８０】
第八局面の放送信号生成装置により生成された放送信号を受信して再生する再生装置に対応して、情報端末は、マイクロフォンの他に、次の抽出手段、コンテンツ出力手段、及び、抽出タイミング設定手段を備える構成にすることができる。再生装置は、放送信号に含まれる放送コンテンツをユーザが認識可能な形態で再生し、放送コンテンツと共に放送信号に含まれる上記情報コード及び付属コードをユーザが認識困難な音声で再生する。【００８１】
この再生装置に対応して、抽出手段は、マイクロフォンから入力される再生音に含まれる情報コード及び付属コードを抽出する。コンテンツ出力手段は、抽出手段により抽出された情報コードに対応するネットワークコンテンツを、ネットワークを通じて外部サーバから取得し、当該ネットワークコンテンツを、ユーザに向けて出力する。【００８２】
抽出タイミング設定手段は、抽出手段により抽出された付属コードに基づき、次回の抽出タイミングを設定する。即ち、抽出手段は、抽出タイミング設定手段により設定された抽出タイミングが到来する度に、マイクロフォンから入力される再生音に含まれる情報コード及び付属コードを抽出する。【００８３】
この情報端末によれば、情報コードの抽出動作を効率的に繰り返し実行することができる。結果、バッテリの消耗や処理負荷を抑えることができ、情報コードの利用を促進することができる。【００８４】
また、情報コードの利用を促進することは、例えば、ユーザの視聴行動を収集する用途で情報コードを利用することによっても実現できる。
本発明の第九局面の視聴情報管理システムは、情報端末と、この情報端末と通信可能なネットワークに接続される管理サーバと、を備える。このシステムを構成する情報端末及び管理サーバは、次のように構成される。【００８５】
第九局面の情報端末は、放送局から出力される放送信号に含まれる放送コンテンツをユーザが認識可能な形態で再生し、放送コンテンツと共に放送信号に含まれる情報コードをユーザが認識困難な音声で再生する再生装置、の再生音を入力可能なマイクロフォンを備える。【００８６】
更に、この情報端末は、マイクロフォンから入力される再生音に含まれる情報コードを抽出する抽出手段と、抽出手段により抽出された情報コード及び当該情報端末のユーザの識別コードとしてのユーザコードを上記管理サーバに送信するコード送信手段と、を備える。【００８７】
一方、管理サーバは、情報端末のユーザ毎に、当該ユーザによる放送コンテンツの視聴履歴を記憶する視聴履歴記憶手段と、情報端末からネットワークを通じて情報コード及びユーザコードを受信すると、ユーザコードにより特定されるユーザの視聴履歴記憶手段が記憶する視聴履歴を、情報コードに基づいて更新する更新手段と、を備える。【００８８】
この視聴情報管理システムによれば、情報コードに対応した放送コンテンツを視聴しているというユーザの視聴行動に関する情報を収集することができ、この情報をユーザの視聴行動の把握に役立てることができる。【００８９】
上記情報収集に関するユーザの協力に対して、このユーザに対し何らかの特典を提供すれば、情報コードの利用は、一層促進される。特典の提供としては、特定の条件を満足する視聴行動を行ったユーザに特別なネットワークコンテンツ（特典映像や電子クーポン等）を提供する例を挙げることができる。【００９０】
例えば、管理サーバには、視聴履歴記憶手段が記憶する視聴履歴に基づき、視聴履歴が所定条件を満足するユーザの情報端末に対して選択的に、特定のネットワークコンテンツを配信するネットワークコンテンツ配信手段を設けることができる。【００９１】
その他、視聴情報管理システムは、ユーザの視聴行動を数値化して記録するシステムであってもよい。本発明の第十局面の視聴情報管理システムは、このシステムを構成する情報端末及び管理サーバが、次のように構成されていることを特徴とする。【００９２】
第十局面の情報端末は、放送局から出力される放送信号に含まれる放送コンテンツをユーザが認識可能な形態で再生し、放送コンテンツと共に放送信号に含まれる情報コードをユーザが認識困難な音声で再生する再生装置、の再生音を収集可能なマイクロフォンを備える。【００９３】
更に、この情報端末は、マイクロフォンから入力される再生音に含まれる情報コードを抽出する抽出手段と、管理サーバに、抽出手段により抽出された情報コード及び当該情報端末のユーザコードを送信するコード送信手段と、を備える。【００９４】
一方、管理サーバは、情報端末のユーザ毎に、当該ユーザによる放送コンテンツの視聴実績を数値化した視聴ポイントを記憶する手段であって、放送コンテンツの系統毎に当該系統に属する放送コンテンツの視聴実績を数値化した系統毎の視聴ポイントを記憶する視聴実績記憶手段を備える。【００９５】
更に、管理サーバは、情報端末からネットワークを通じて情報コード及びユーザコードを受信すると、ユーザコードにより特定されるユーザの視聴実績記憶手段が記憶する視聴ポイントであって、情報コードに対応する放送コンテンツの系統の視聴ポイントを更新する更新手段を備える。【００９６】
このような視聴情報管理システムの構成によれば、視聴行動を数値化して記録するので、ユーザの視聴行動の把握が容易になる。また、この視聴情報管理システムには、特典としてのネットワークコンテンツを提供する手段を設けることができる。【００９７】
即ち、管理サーバには、視聴ポイントの系統毎に、当該系統に対応するネットワークコンテンツ及び当該ネットワークコンテンツのネットワークにおける格納位置を表すアドレス情報の少なくとも一方を、コンテンツ情報として記憶するコンテンツ情報記憶手段を設けることができる。【００９８】
更に、この管理サーバには、視聴実績記憶手段が記憶するユーザ毎及び系統毎の視聴ポイントに基づき、視聴ポイントが所定レベルに到達した系統の上記コンテンツ情報を、当該視聴ポイントが所定レベルに到達したユーザの情報端末に対して選択的に、配信するコンテンツ情報配信手段を設けることができる。このように視聴情報管理システムを構成すれば、一層情報コードの利用を促進することができる。【００９９】
また、情報コードの利用を促進することは、例えば、情報コードを録画予約に用いるといった新たな用途（利用形態）を提供することによっても実現することができる。
本発明の第十一局面の録画予約システムは、録画予約された放送コンテンツを、放送局から受信した放送信号に基づき録画する録画装置と、録画装置と通信可能な情報端末と、を備える。このシステムを構成する録画装置及び情報端末は、次のように構成される。【０１００】
第十一局面の録画装置は、放送コンテンツを構成する映像及び音声を放送局からの放送信号に基づき再生する再生装置とは、一体に又は別体で構成される。但し、ここでは、放送コンテンツに当該放送コンテンツに対応する情報コードを付加した放送信号を放送局が出力することを前提として、再生装置が、放送局からの放送信号に基づき、放送コンテンツを構成する映像及び音声を再生し、当該放送コンテンツに付加された情報コードに対応する音声を、ユーザが認識困難な音声により再生するものとする。【０１０１】
第十一局面の情報端末は、上記再生装置の再生音を入力可能なマイクロフォンと、当該マイクロフォンから入力される再生音に含まれる情報コードを抽出する抽出手段と、抽出手段により抽出された情報コードに基づき、当該情報コードに対応する放送コンテンツの録画予約を要求する信号である予約要求信号を録画装置に送信する録画予約要求手段と、を備える。【０１０２】
一方、録画装置は、情報端末から予約要求信号を受信する要求信号受信手段と、要求信号受信手段により予約要求信号が受信されると、この予約要求信号に基づき、上記要求された放送コンテンツの録画予約を行う録画予約手段と、を備える。【０１０３】
この録画予約システムによれば、上記情報コードを利用することで、ユーザによる録画予約操作を簡便にすることができる。従って、情報コードの利用を促進することができる。【０１０４】
付言すると、情報端末が有する録画予約要求手段は、例えば、抽出手段により抽出された情報コードに基づき、当該情報コードに対応する放送コンテンツの次回放送日時を特定可能な情報を含む上記予約要求信号を録画装置に送信する構成にすることができる。そして、録画装置が有する録画予約手段は、要求信号受信手段により受信された予約要求信号に含まれる上記放送コンテンツの次回放送日時を特定可能な情報に基づき、上記情報コードに対応する放送コンテンツの録画予約を行う構成にすることができる。【０１０５】
この他、上記録画予約要求手段は、例えば、抽出手段により抽出された情報コードを含む予約要求信号を録画装置に送信する構成にされてもよい。そして、録画装置が有する録画予約手段は、要求信号受信手段により受信された予約要求信号に含まれる情報コードに基づき、情報コードに対応する放送コンテンツの録画予約を行う構成にされてもよい。【０１０６】
放送信号に複数の情報コードが含まれ、再生装置から複数の情報コードが再生される場合、録画予約要求手段は、抽出手段により抽出された情報コードのうち、ユーザにより選択された情報コードを含む予約要求信号を録画装置に送信する構成にすることができる。【０１０７】
また、録画予約手段は、記憶装置から、上記予約要求信号に含まれる情報コードに対応する放送コンテンツに関する情報を取得し、取得した放送コンテンツに関する情報に基づき、情報コードに対応する放送コンテンツの録画予約を行う構成にすることができる。記憶装置は、放送信号に組み込まれる情報コード毎に、当該情報コードに対応する放送コンテンツに関する情報として、録画装置にて放送コンテンツの次回放送日時を特定可能な情報を記憶することができる。【０１０８】
このように録画予約手段を構成すれば、情報コードに、録画日時に関する詳細な情報が含まれない場合でも、記憶装置が記憶する情報から、適切な録画予約を行うことができる。この記憶装置は、ネットワークに接続された外部サーバに設けることができ、録画予約手段は、ネットワークを通じて当該記憶装置を備える外部サーバから上記予約要求信号に含まれる情報コードに対応する放送コンテンツに関する情報を取得する構成にすることができる。【０１０９】
この他、放送コンテンツと情報コードとの対応関係が放送スケジュールと共に記述された電子番組表が放送局から放送される環境を前提とした場合、録画予約手段は、放送局から受信した電子番組表に基づき、上記予約要求信号に含まれる情報コードに基づいた放送コンテンツの録画予約を行う構成にすることができる。【０１１０】
また、本発明の第十二局面の情報端末は、マイクロフォンと、抽出手段と、許可手段と、を備える。抽出手段は、マイクロフォンから入力される上述した再生装置の再生音に含まれる情報コードを抽出する。許可手段は、抽出手段により特定の情報コードが抽出されたことを条件に、情報端末を用いたコンピュータゲームのプレイを許可する。【０１１１】
情報端末を用いたコンピュータゲームとしては、情報端末が自装置にインストールされたプログラムに従って実行可能なコンピュータゲームや、情報端末がサーバにアクセスして、サーバとの協働により実行可能なコンピュータゲームを一例に挙げることができる。コンピュータゲームには、例えば、スロットゲームが含まれる。
上記特定の情報コードとしては、コンピュータゲームを提供する会社のコマーシャルに付加される情報コード等を一例に挙げることができる。この情報端末によっても、情報コードの利用を促進することができる。【０１１２】
以上に説明した各局面の装置及びシステムが備える手段の内、その機能をプログラムによってコンピュータに実現させることが可能な手段については、当該手段としての機能をコンピュータに実現させるためのプログラムを、コンピュータ読取可能な記録媒体に記録することができる。コンピュータ読取可能な記録媒体としては、例えば、ハードディスク等の磁気ディスクや、ＣＤ−ＲＯＭやＤＶＤ等の光ディスク、ＵＳＢメモリ等の半導体製メモリを挙げることができる。
【図面の簡単な説明】
【０１１３】
【図１】第一実施例における情報提供システムの構成を表すブロック図である。
【図２Ａ】第一実施例における放送信号の構成を表す図である。
【図２Ｂ】第一実施例における音響ＩＤの構成を表す図である。
【図３Ａ】第一実施例における情報提供サーバが有する放送局毎のコード時系列データの構成を表す図である。
【図３Ｂ】第一実施例における情報提供サーバが有する音響ＩＤ毎のコンテンツ詳細データの構成を表す図である。
【図４】第一実施例における情報提供サーバの制御ユニットが繰り返し実行する処理を表すフローチャートである。
【図５】第一実施例における情報端末が送信する問合せ信号及び情報提供サーバが送信する応答信号の構成を表す図である。
【図６Ａ】第一実施例における情報端末の制御ユニットが繰り返し実行する処理を表すフローチャートである。
【図６Ｂ】第一実施例における情報端末の制御ユニットが繰り返し実行する処理を表すフローチャートである。
【図７Ａ】変形例におけるコンテンツ詳細データの構成を表す図である。
【図７Ｂ】変形例における情報提供サーバが送信する応答信号の構成を表す図である。
【図８Ａ】第二実施例における情報提供サーバが送信する応答信号の構成を表す図である。
【図８Ｂ】第二実施例における情報端末の制御ユニットが実行する取得出力処理を表すフローチャートである。
【図８Ｃ】第二実施例における情報提供サーバの制御ユニットが繰り返し実行するコンテンツ情報提供処理を表すフローチャートである。
【図９Ａ】第三実施例における音響ＩＤの時間変化を表す図である。
【図９Ｂ】第三実施例における情報提供サーバが有する放送局毎のスケジュールデータの構成を表す図である。
【図１０】第三実施例における情報提供サーバの制御ユニットが繰り返し実行する処理を表すフローチャートである。
【図１１】第四実施例における付加ユニットの構成を表すブロック図である。
【図１２Ａ】第四実施例において放送信号に組み込まれる音響ＩＤの第一構成例を表す図である。
【図１２Ｂ】第四実施例において放送信号に組み込まれる音響ＩＤの第二構成例を表す図である。
【図１３Ａ】第五実施例における放送信号の構成を表す図である。
【図１３Ｂ】第五実施例における情報端末の制御ユニットが繰り返し実行する処理を表すフローチャートである。
【図１３Ｃ】第五実施例における情報端末の制御ユニットが繰り返し実行する処理を表すフローチャートである。
【図１４】第六実施例におけるテレビジョン装置及び情報端末の構成を表すブロック図である。
【図１５Ａ】第六実施例におけるテレビジョン装置の制御ユニットが繰り返し実行する履歴書込処理を表すフローチャートである。
【図１５Ｂ】第六実施例におけるテレビジョン装置の制御ユニットが繰り返し実行する問合せ信号受付処理を表すフローチャートである。
【図１６Ａ】第七実施例における付加ユニットが繰り返し実行する処理を表すフローチャートである。
【図１６Ｂ】第七実施例における音響ＩＤ列の更新態様を表す図である。
【図１６Ｃ】音響ＩＤ列に代えて放送コンテンツに付加可能なコードの構成を表す図である。
【図１７】第七実施例における情報端末の制御ユニットが繰り返し実行する処理を表すフローチャートである。
【図１８Ａ】第八実施例における付加ユニットが繰り返し実行する処理を表すフローチャートである。
【図１８Ｂ】第八実施例における放送信号に組み込まれる第一及び第二の音響ＩＤの時間変化を示した図である。
【図１９Ａ】第九実施例における音響ＩＤの構成を表す図である。
【図１９Ｂ】第九実施例における放送信号に組み込まれる音響ＩＤの時間変化を表す図である。
【図１９Ｃ】第九実施例における付加ユニットが繰り返し実行する処理を表すフローチャートである。
【図２０】第九実施例における情報端末の制御ユニットが実行する処理を表すフローチャートである。
【図２１】第十実施例における情報提供サーバが有するユーザ毎の視聴履歴データ及びコンテンツコード毎の提供条件データの構成を表す図である。
【図２２】第十実施例における情報端末の制御ユニットが実行する視聴履歴送信処理を表すフローチャートである。
【図２３】第十実施例における情報提供サーバの制御ユニットが繰り返し実行する登録受付処理を表すフローチャートである。
【図２４】第十実施例における情報提供サーバの制御ユニットが繰り返し実行するリスト要求受付処理を表すフローチャートである。
【図２５】第十実施例における情報端末の制御ユニットが繰り返し実行する取得操作受付処理を表すフローチャートである。
【図２６】第十一実施例における録画予約システムの構成を表すブロック図である。
【図２７】第十一実施例における情報管理サーバが有する録画条件データの構成を表す図である。
【図２８】第十一実施例における情報管理サーバの制御ユニットが繰り返し実行する処理を表すフローチャートである。
【図２９】第十一実施例における録画装置の制御ユニットが繰り返し実行する処理を表すフローチャートである。
【図３０】第十一実施例における情報端末の制御ユニットが繰り返し実行する処理を表すフローチャートである。
【図３１】第十二実施例における情報端末の制御ユニットが繰り返し実行する処理を表すフローチャートである。
【符号の説明】
【０１１４】
１…情報提供システム、１０…放送局装置、１１…入力ユニット、１３…付加ユニット、１５…出力ユニット、２０…放送アンテナ、３０，１３０…テレビジョン装置、３１，１３１…スピーカ、３３…モニタ、３５…受信再生ユニット、３７，５５，７１，１５５，１７１，１９１…制御ユニット、３９，５９，１５９，１７９…近距離通信ユニット、５０，１５０…情報端末、５１，１５１…マイクロフォン、５３，７３，１５３，１７３，１９３…通信ユニット、５７，１５７…ユーザインタフェース、７０…情報提供サーバ、７５，１７５，１９５…記憶ユニット、９０…ウェブサーバ、１００…録画予約システム、１３１，１３２…変換ユニット、１３５…混合ユニット、１７０…録画装置、１９０…情報管理サーバ
【発明を実施するための形態】
【０１１５】
以下に本発明の実施例について、図面と共に説明する。
［第一実施例］
本実施例の情報提供システム１は、放送コンテンツに付加される情報コードとしての音響ＩＤを用いて、この音響ＩＤに対応するネットワークコンテンツを、視聴者（ユーザ）が有する情報端末５０に提供するものである。この情報提供システム１は、図１に示すように、放送局装置１０と、テレビジョン装置３０と、情報端末５０と、情報提供サーバ７０と、ウェブサーバ９０と、を備える。
【０１１６】
放送局に設置される放送局装置１０は、放送信号を生成して出力するものであり、入力ユニット１１と、付加ユニット１３と、出力ユニット１５と、を備える。入力ユニット１１は、視聴者に認識可能な映像及び音声の形態で再生される番組やコマーシャル等の放送コンテンツを、予め定められた放送スケジュールに従って、付加ユニット１３に入力すると共に、この放送コンテンツに付加する音響ＩＤを、付加ユニット１３に入力するものである。
【０１１７】
入力ユニット１１の構成としては、時刻と対応付けて、当該時刻に放送されるべき放送コンテンツ及び音響ＩＤの情報を有し、この情報に従って、放送コンテンツ及び音響ＩＤを付加ユニット１３に入力する構成を一例に挙げることができる。放送コンテンツは、入力ユニット１１が読取可能な記録媒体に、動画データ等の形態で保存しておくことができる。
【０１１８】
一方、付加ユニット１３は、入力ユニット１１から入力される放送コンテンツ及び音響ＩＤに基づき、放送コンテンツに、この放送コンテンツに対応して入力された音響ＩＤを、周知の手法により電子透かしとして付加してなる放送信号を生成するものである。具体的に、この付加ユニット１３は、上記放送信号として、図２Ａに示すように、放送コンテンツにユーザにより認識困難な音声の形態で音響ＩＤを付加した構成の信号を生成する。従って、この放送信号には、放送コンテンツに対応したユーザにより認識可能な映像及び音声の他に、ユーザが認識困難な音響ＩＤに対応した音声の信号が含まれる。音響ＩＤは、図２Ｂに示すように、この音響ＩＤが付加される放送コンテンツを放送する放送局を表すコードである放送局コードと、この音響コードが付加される放送コンテンツの識別コードであるコンテンツコードと、を含む。
【０１１９】
この付加ユニット１３は、例えば、不可聴周波数帯のキャリア信号（搬送波）を上記入力ユニット１１から入力された音響ＩＤにより変調してなる変調信号を、放送コンテンツの音声信号である可聴周波数帯の音声信号とミキシングして上記放送信号を生成する構成にすることができる。但し、ここで言う不可聴周波数帯は、人間にとって聞こえない周波数帯の他に、人間にとって聞こえ辛い周波数帯をも含む表現として広義に解釈され得る。
【０１２０】
この他、付加ユニット１３は、放送コンテンツに含まれる音声に微小な変化を加えることによって、可聴周波数帯の音声信号であるがユーザが認識困難な音響ＩＤの音声信号を放送コンテンツに加える構成にされてもよい。即ち、本明細書で言う「電子透かし」は、ユーザが認識可能な情報に付加されるユーザが認識困難な情報のことである。放送コンテンツに電子透かしとして付加される音響ＩＤは、本実施例において、可聴周波数帯の音声信号及び不可聴周波数帯の音声信号のいずれの形態をも採り得る。
【０１２１】
また、出力ユニット１５は、付加ユニット１３により生成された放送信号を、放送アンテナ２０を通じて放送電波の形態で出力するものである。このように出力された放送信号は、例えば、視聴者宅に設置されたテレビジョン装置３０にて受信及び再生される。
【０１２２】
一方、テレビジョン装置３０は、周知のテレビジョン装置と同様の構成にされ、放送局から受信した放送信号を再生し、その放送信号に含まれる放送コンテンツに対応する映像を画面に表示すると共に、その放送コンテンツに対応する音声を、スピーカ３１を通じて音声出力するものである。
【０１２３】
但し、本実施例によれば、上述したように放送信号が生成される段階で、放送コンテンツに音響ＩＤが付加される。このため、放送信号の再生によりテレビジョン装置３０のスピーカ３１から出力される放送信号の再生音には、放送コンテンツに対応するユーザが認識可能な音声の他に、ユーザが認識困難な音響ＩＤに対応する音声が含まれる。
【０１２４】
この音響ＩＤは、テレビジョン装置３０の近くに位置する情報端末５０により放送音声から抽出される。本実施例の情報端末５０は、マイクロフォン５１と、通信ユニット５３と、制御ユニット５５と、ユーザインタフェース５７とを備える。情報端末５０としては、携帯電話、スマートフォン、及びモバイルコンピュータ等を一例に挙げることができる。
【０１２５】
この情報端末５０が備えるマイクロフォン５１は、テレビジョン装置３０から出力される放送信号の再生音（放送コンテンツに対応する音声及び音響ＩＤに対応する音声）を収集可能なマイクロフォンであり、この再生音を電気信号として制御ユニット５５に入力する。
【０１２６】
一方、通信ユニット５３は、広域ネットワーク（例えばインターネット）に接続され、当該広域ネットワークに接続された情報提供サーバ７０や、ウェブサーバ９０等の各種サーバと通信可能な構成にされたものである。この通信ユニット５３としては、視聴者宅等の無線ＬＡＮを通じて広域ネットワークに接続される無線ＬＡＮインタフェースや、セルラー網を通じて広域ネットワークに接続される通信インタフェースを一例に挙げることができる。
【０１２７】
また、制御ユニット５５は、ＲＯＭ５５ａに記録されたプログラムに従って、各種処理を実行し、情報端末５０全体を統括制御するものである。この制御ユニット５５は、ＲＯＭ５５ａに記録されたプログラムに従う処理の一つとして、例えば、マイクロフォン５１から電気信号として入力されるテレビジョン装置３０の再生音を解析し、この再生音に含まれる上記音響ＩＤを当該再生音から抽出し、この音響ＩＤを用いて、情報提供サーバ７０から、ネットワークコンテンツに関する情報を取得し、放送コンテンツに対応したネットワークコンテンツをユーザに向けて出力する処理を実行する。
【０１２８】
この他、ユーザインタフェース５７は、ユーザと制御ユニット５５との間の情報伝達を行うインタフェースであり、画面やスピーカを通じてユーザに対し各種情報を出力する一方、タッチパネルやキースイッチ等を通じてユーザからの入力を受け付ける。このユーザインタフェース５７は、例えば、タッチパネル機能を有した液晶モニタから構成される。
【０１２９】
また、情報提供サーバ７０は、制御ユニット７１、通信ユニット７３、及び、記憶ユニット７５を備え、情報端末５０から広域ネットワークを通じて送信されてくる問合せ信号に対応する応答信号を問合せ元の情報端末５０に送信することにより、各種情報を情報端末５０に提供するものである。
【０１３０】
具体的に、制御ユニット７１は、内蔵のＲＯＭ７１ａに記録されたプログラムに従う処理を実行して、各種機能を実現する。通信ユニット７３は、情報端末５０と同一の広域ネットワークに接続され、広域ネットワークを通じて情報端末５０と通信可能に構成されたものである。
【０１３１】
この他、記憶ユニット７５は、ハードディスク装置等から構成され、各種情報を記憶保持する。具体的に、記憶ユニット７５は、放送日毎及び放送局毎のコンテンツコード時系列データ（以下、「コード時系列データ」と言う。）を記憶すると共に、音響ＩＤ毎のコンテンツ詳細データを記憶する。
【０１３２】
図３Ａに例示するように、コード時系列データは、該当する日に該当する放送局で放送される音響ＩＤが放送順に配列されたデータであり、詳細には、音響ＩＤのうちのコンテンツコードが放送順に配列されたデータとして構成されたものである。
【０１３３】
一方、音響ＩＤ毎のコンテンツ詳細データは、図３Ｂに示すように、音響ＩＤと、この音響ＩＤと共に放送された放送コンテンツのタイトル情報と、この音響ＩＤに対応するネットワークコンテンツの上記広域ネットワークにおける格納位置を表すＵＲＬ情報とが記述されたデータである。
【０１３４】
情報提供サーバ７０の制御ユニット７１は、この記憶ユニット７５が記憶する放送日毎及び放送局毎のコード時系列データと、音響ＩＤ毎のコンテンツ詳細データとを参照して、外部の情報端末５０からの問合せに対し、各種情報を情報端末５０に提供する。具体的に、情報提供サーバ７０の制御ユニット７１は、図４に示す処理を繰り返し実行することにより、情報端末５０からの音響ＩＤに関する問合せ信号に対し、この問合せ信号が示す音響ＩＤを放送した放送局において、当該問合せ信号が示す音響ＩＤからＮ個前までに放送された各音響ＩＤのコンテンツ詳細データ群を格納した応答信号を、問合せ元の情報端末５０に広域ネットワークを通じて送信する。
【０１３５】
詳述すると、制御ユニット７１は、図４に示す処理を実行することにより、外部の情報端末５０から送信される音響ＩＤに関する問合せ信号を受け付ける。そして、広域ネットワーク及び通信ユニット７３を通じて、外部の情報端末５０から音響ＩＤに関する問合せ信号を受信すると（Ｓ１１０でＹｅｓ）、この問合せ信号が示す音響ＩＤの放送局コードに基づき、この音響ＩＤが放送された放送局を特定する（Ｓ１２０）。
【０１３６】
その後、制御ユニット７１は、この問合せ信号が示す音響ＩＤのコンテンツコードに基づき、上記特定した放送局において、この問合せ信号が示す音響ＩＤからＮ個前までに放送された各音響ＩＤを特定する（Ｓ１３０）。具体的には、上記特定した放送局に対応するコード時系列データにおいて、上記問合せ信号が示す音響ＩＤのコンテンツコードの記載位置から放送順が前となる方向にコンテンツコードを参照することにより、この問合せ信号に含まれる音響ＩＤからＮ個前までに放送された各音響ＩＤを特定する。
【０１３７】
また、制御ユニット７１は、この結果に基づき、問合せ信号が示す音響ＩＤから遡ってＮ個前までに同一放送局にて放送された各音響ＩＤに対応するコンテンツ詳細データを記憶ユニット７５から読み出し、このコンテンツ詳細データ群を格納した応答信号を生成し（Ｓ１４０）、これを問合せ元（問合せ信号送信元）の情報端末５０に広域ネットワークを通じて送信する（Ｓ１５０）。この応答信号には、問合せ信号が示す音響ＩＤに対応するコンテンツ詳細データも格納される。
【０１３８】
尚、上記変数Ｎは、１以上の整数値で任意に情報提供サーバ７０の管理者が設定することができる。この他、別例として、情報提供システム１は、上記変数Ｎを情報端末５０のユーザが指定できるように構成されてもよい。情報端末５０からは、音響ＩＤに関する問合せ信号として、音響ＩＤと共に変数Ｎの指定値を記した問合せ信号を送信し、情報提供サーバ７０では、この問合せ信号に含まれる変数Ｎの指定値を用いて上述した処理を実行するといった具合である。
【０１３９】
ここで図５を用いて、情報端末５０から送信される音響ＩＤに関する問合せ信号の受信に対応して、情報提供サーバ７０が問合せ元の情報端末５０に送信する応答信号の構成例を説明する。この例によれば上記変数Ｎは値「２」である。図５によれば、放送局コードＳＴｘｘ０１で識別される放送局にて放送された音響ＩＤ「ＳＴｘｘ０１ＣＴｙｙ０７」の一つ前に放送された音響ＩＤ「ＳＴｘｘ０１ＣＴｙｙ０６」、音響ＩＤ「ＳＴｘｘ０１ＣＴｙｙ０７」の二つ前に放送された音響ＩＤ「ＳＴｘｘ０１ＣＴｙｙ０５」、及び、問合せのあった音響ＩＤ「ＳＴｘｘ０１ＣＴｙｙ０７」についてのコンテンツ詳細データ（音響ＩＤ、タイトル情報及びＵＲＬ情報）を格納した応答信号が情報端末５０に送信される。
【０１４０】
一方、この音響ＩＤに関する問合せ信号を送信する情報端末５０は、起動すると、制御ユニット５５にて、図６Ａ及び図６Ｂに示す処理を繰り返し実行する。これによって、ネットワークコンテンツの出力を望むユーザの操作を、ユーザインタフェース５７を通じて受け付けて、ユーザが望むネットワークコンテンツを、ユーザインタフェース５７を通じ、画像（映像）及び音声の少なくとも一方の形態でユーザに向けて出力する。
【０１４１】
具体的に、制御ユニット５５は、図６Ａ及び図６Ｂに示す処理を開始すると、ネットワークコンテンツの出力を望む旨のユーザ操作（以下「コンテンツ出力操作」と表現する）がユーザインタフェース５７を通じてなされるまで待機する（Ｓ２１０でＮｏ）。そして、コンテンツ出力操作がなされると（Ｓ２１０でＹｅｓ）、マイクロフォン５１を占有し、マイクロフォン５１からの入力信号である当該マイクロフォン５１が収集した音声についての電気信号を所定時間分取得し、この入力信号を解析することにより、入力信号に含まれる現在放送及び再生中の音響ＩＤを特定する（Ｓ２２０）。即ち、入力信号に含まれる音響ＩＤを抽出する。
【０１４２】
尚、コンテンツ出力操作に対応する情報端末５０の処理は、放送信号に含まれる音響ＩＤを利用することを前提としているため、この処理を正常実行するためには、情報端末５０がテレビジョン装置３０のスピーカ３１から出力される音響ＩＤを含む放送信号の再生音を収集できるような位置に存在する必要がある。
【０１４３】
情報端末５０がテレビジョン装置３０の近くに存在しない等の理由により、Ｓ２２０で音響ＩＤを特定することができなかった場合、制御ユニット５５は、Ｓ２２５で否定判断し、音響ＩＤを取得できなかった旨のメッセージを、ユーザインタフェース５７を通じてユーザに表示した後（Ｓ２２９）、Ｓ２１０に処理を戻す。一方、Ｓ２２０で音響ＩＤを正常に特定することができた場合には、Ｓ２２５で肯定判断して、Ｓ２３０以降の処理を実行する。
【０１４４】
Ｓ２３０に移行すると、制御ユニット５５は、Ｓ２２０で特定した音響ＩＤを、問合せ対象の音響ＩＤとして記した上記音響ＩＤに関する問合せ信号を、通信ユニット５３から情報提供サーバ７０に向けて出力することで、広域ネットワークを通じて情報提供サーバ７０に対し音響ＩＤに関する問合せ信号を送信する。尚、情報提供サーバ７０に上記問合せ信号を送信するために、情報端末５０には、予め情報提供サーバ７０のアドレス情報を登録しておくことができる。
【０１４５】
情報端末５０から音響ＩＤに関する問合せ信号を情報提供サーバ７０に送信すると、情報提供サーバ７０からは、当該問合せ信号に対する応答信号として、当該問合せ信号に問合せ対象として記した音響ＩＤを含む、この音響ＩＤから遡ってＮ個前までに同一放送局にて放送された各音響ＩＤに対応するコンテンツ詳細データを有する応答信号が送信されてくる。
【０１４６】
従って、情報端末５０の制御ユニット５５は、Ｓ２３０に続く処理として、通信ユニット５３を通じて情報提供サーバ７０から送信されてくる上記応答信号を受信する処理を行う（Ｓ２４０）。そして、応答信号を受信すると、受信した応答信号に含まれるコンテンツ詳細データ群に基づき、上記コンテンツ出力操作時に放送されマイクロフォン５１にて収集された音響ＩＤからＮ個前までに同一放送局にて放送された音響ＩＤに対応するネットワークコンテンツのいずれを出力するかをユーザに選択させるための出力対象選択画面を、ユーザインタフェース５７を通じてユーザに向けて出力する（Ｓ２５０）。
【０１４７】
上記応答信号に含まれる音響ＩＤ毎のコンテンツ詳細データには、音響ＩＤに対応する放送コンテンツのタイトル情報が含まれる。このため、例えば、出力対象選択画面としては、図６Ｂの右領域に示すように、各音響ＩＤに対応する放送コンテンツのタイトルを当該音響ＩＤと共に列挙した画面であって、ネットワークコンテンツ出力対象の音響ＩＤを選択するための操作オブジェクト（ラジオボタン等）を記した画面を表示することができる。
【０１４８】
情報端末５０の制御ユニット５５は、このような出力対象選択画面を表示すると、ユーザインタフェース５７を通じて、出力対象選択画面に列挙された音響ＩＤの一つがネットワークコンテンツ出力対象として選択されるまで待機する。そして、選択されると、当該選択された音響ＩＤに対応するネットワークコンテンツを取得し、当該取得したネットワークコンテンツを、ユーザインタフェース５７を通じて、ユーザに向けて出力する（Ｓ２６０）。
【０１４９】
本実施例によれば、情報提供サーバ７０から得られる応答信号には、各音響ＩＤに対応するネットワークコンテンツのＵＲＬ情報が含まれる。このため、制御ユニット５５は、応答信号が示すネットワークコンテンツ出力対象の音響ＩＤに対応するＵＲＬ情報に基づき、当該ＵＲＬ先のウェブサーバ９０から、ネットワークコンテンツ出力対象の音響ＩＤに対応するネットワークコンテンツを、通信ユニット５３を通じて取得する。そして、取得したネットワークコンテンツを、当該ネットワークコンテンツの種類に応じた画像（映像）及び音声の少なくとも一方の形態で出力する。
【０１５０】
以上、本実施例の情報提供システム１について説明したが、本実施例によれば、放送コンテンツに音響ＩＤが付加された放送信号が放送局から放送され、この放送信号に基づく放送コンテンツ及び音響ＩＤがテレビジョン装置３０により再生される。この際、情報端末５０が、再生音から収集された音響ＩＤを利用して、当該音響ＩＤ及び当該音響ＩＤより前に同一放送局で放送された音響ＩＤに対応するネットワークコンテンツのＵＲＬ情報を、情報提供サーバ７０から取得し、当該取得したＵＲＬ情報に基づいて、ユーザが所望するネットワークコンテンツを出力する。
【０１５１】
具体的には、コンテンツ出力操作直後にマイクロフォン５１にて収集された放送音声から抽出された音響ＩＤに対応するネットワークコンテンツ、及び、抽出された音響ＩＤの直前を含むそれ以前に放送された音響ＩＤに対応するネットワークコンテンツの一つを、ユーザからの選択操作に従って、取得し出力する。
【０１５２】
従って、本実施例によれば、ユーザは、情報端末５０に対する操作の遅れにより、所望の放送コンテンツ（番組やコマーシャル等）の音響ＩＤを、その放送中に情報端末５０を通じて取得できなかった場合でも、上記取得できなかった音響ＩＤに対応するネットワークコンテンツを利用することができる。
【０１５３】
即ち、本実施例によれば、ユーザの操作遅れに依らず、音響ＩＤを用いてユーザ所望のネットワークコンテンツをユーザに提供することができる。従って、本実施例によれば、音響ＩＤの利用を促進させることができる。
【０１５４】
ところで、上記ネットワークコンテンツとしては、放送コンテンツがコマーシャルである場合、コマーシャルに対応する商品の広告ページ等を一例に挙げることができ、放送コンテンツがテレビドラマ等のコンテンツである場合には、このテレビドラマ等の特典映像（動画データ）や音楽等を一例に挙げることができる。
【０１５５】
また、本実施例では、情報提供サーバ７０で、音響ＩＤに対応するネットワークコンテンツそれ自体を記憶せず、当該ネットワークコンテンツのＵＲＬ情報を記憶し、このＵＲＬ情報をコンテンツ情報として情報端末５０に提供するようにした。しかしながら、情報提供サーバ７０は、音響ＩＤに対応するネットワークコンテンツ自体を記憶保持する構成にされてもよく、情報端末５０からの上記問合せ信号に対し、ＵＲＬ情報ではなくネットワークコンテンツ自体を格納した応答信号を情報端末５０に送信する構成にされてもよい（変形例）。
【０１５６】
変形例における情報提供サーバ７０は、図７Ａに示すように、記憶ユニット７５において、音響ＩＤ毎のネットワークコンテンツを記憶すると共に、音響ＩＤ毎のコンテンツ詳細データとして、音響ＩＤと、この音響ＩＤと共に放送された放送コンテンツのタイトル情報と、この音響ＩＤに対応するネットワークコンテンツのファイル情報（記憶ユニット７５におけるネットワークコンテンツの格納場所等を表す情報）と、を記憶する。
【０１５７】
そして、情報提供サーバ７０の制御ユニット７１は、音響ＩＤに関する問合せ信号を情報端末５０から受信すると、図４に示すようにＳ１２０以降の処理を実行する。Ｓ１４０では、問合せ信号が示す音響ＩＤ及び同一放送局にて当該音響ＩＤから遡ってＮ個前までに放送された各音響ＩＤに対応するコンテンツ詳細データに基づき、図７Ｂに示すように、応答信号を送信する。即ち、問合せ信号が示す音響ＩＤ及びこれより遡ってＮ個前までに放送された各音響ＩＤに対応する放送コンテンツのタイトル情報及びネットワークコンテンツを当該音響ＩＤと関連付けて格納した応答信号を問合せ元の情報端末５０に送信する。
【０１５８】
情報端末５０の制御ユニット５５は、このネットワークコンテンツ自体を含む応答信号を受信し（Ｓ２４０）、図６Ｂに示すように、この応答信号に含まれるネットワークコンテンツのいずれを出力対象とするかをユーザに選択させるための出力対象選択画面を、ユーザインタフェース５７を通じて表示する（Ｓ２５０）。そして、この画面を通じてユーザにより選択されたネットワークコンテンツを、Ｓ２６０にてユーザインタフェース５７を通じて出力する。
【０１５９】
変形例の情報提供システム１によれば、Ｓ２６０では、ＵＲＬ情報に基づいてウェブサーバ９０からネットワークコンテンツを取得しなくても、予め受信した応答信号に格納されたネットワークコンテンツに基づき、当該ネットワークコンテンツをユーザに出力することができる。従って、情報端末５０にとっては、簡単な手順でユーザ所望のネットワークコンテンツを提供することができるといった利点がある。
【０１６０】
尚、本実施例において情報提供サーバ７０の制御ユニット７１が実行するＳ１３０〜Ｓ１５０の処理（図４参照）は、上述した第二局面の情報提供サーバが有するコンテンツ情報送信手段によって実現される処理の一例に対応し、情報端末５０の制御ユニット５５が実行するＳ２２０の処理（図６Ａ参照）は、第二局面の情報端末が有する抽出手段によって実現される処理の一例に対応し、Ｓ２３０の処理は、問合せ手段によって実現される処理の一例に対応し、Ｓ２４０の処理は、コンテンツ情報受信手段によって実現される処理の一例に対応し、Ｓ２６０の処理は、コンテンツ出力手段によって実現される処理の一例に対応する。
【０１６１】
［第二実施例］
続いて、第二実施例の情報提供システム１について説明する。但し、第二実施例の情報提供システム１は、情報端末５０から送信される音響ＩＤに関する問合せ信号に対する応答信号の内容が第一実施例の情報提供システム１と異なる程度のものである。従って、以下では、第二実施例の情報提供システム１の構成として、第一実施例とは異なる構成を選択的に説明し、第一実施例と同一構成部分の説明を適宜省略する。
【０１６２】
第二実施例の情報提供サーバ７０が有する制御ユニット７１は、音響ＩＤに関する問合せ信号を情報端末５０から受信すると、図４に示すようにＳ１２０以降の処理を実行する。Ｓ１４０では、問合せ信号が示す音響ＩＤから特定される同一放送局にてＮ個前までに放送された各音響ＩＤと、各音響ＩＤに対応する放送コンテンツのタイトル情報とを記した応答信号を生成し、Ｓ１５０では、この応答信号を問合せ元の情報端末５０に送信する。この応答信号には、図８Ａに示すように、問合せ信号が示す音響ＩＤに対応する放送コンテンツのタイトル情報も含まれる。ここで留意されたいのは、本実施例の応答信号には、音響ＩＤに対応するネットワークコンテンツのＵＲＬ情報やネットワークコンテンツ自体が含まれない点である。
【０１６３】
一方、情報端末５０の制御ユニット５５は、ユーザインタフェース５７を通じてコンテンツ出力操作がなされると（Ｓ２１０でＹｅｓ）、図６Ａ及び図６Ｂに示すようにＳ２２０以降の処理を実行する。Ｓ２４０では、問合せ信号に記した音響ＩＤから同一放送局にてＮ個前までに放送された各音響ＩＤ及びその音響ＩＤに対応する放送コンテンツのタイトル情報を含んだ応答信号を情報提供サーバ７０から受信し、Ｓ２５０では、この応答信号に含まれる各音響ＩＤのタイトル情報に基づき出力対象選択画面を表示し、出力対象選択画面を通じたユーザによるネットワークコンテンツ出力対象の選択操作が完了すると、Ｓ２６０にて、図８Ｂに示す取得出力処理を実行する。
【０１６４】
具体的に、図８Ｂに示す取得出力処理を開始すると、制御ユニット５５は、ユーザにより選択されたネットワークコンテンツ出力対象の音響ＩＤに基づき、この音響ＩＤを記したコンテンツ問合せ信号を、情報提供サーバ７０に送信する（Ｓ３１０）。
【０１６５】
一方、情報提供サーバ７０の制御ユニット７１は、図８Ｃに示す処理を繰り返し実行することにより、情報端末５０からのコンテンツ問合せ信号を受け付ける。即ち、制御ユニット７１は、Ｓ４１０において、情報端末５０からのコンテンツ問合せ信号の受信を待機し、コンテンツ問合せ信号を受信すると（Ｓ４１０でＹｅｓ）、Ｓ４２０に移行して、受信した問合せ信号が示す音響ＩＤに対応するネットワークコンテンツのＵＲＬ情報を、記憶ユニット７５が記憶するコンテンツ詳細データ群を参照して特定する。そして、このＵＲＬ情報を、コンテンツ問合せ信号に対する応答信号に格納して、当該応答信号を問合せ元の情報端末５０に向けて通信ユニット７３を通じて送信する（Ｓ４３０）。
【０１６６】
情報端末５０の制御ユニット５５は、コンテンツ問合せ信号の送信後、このように情報提供サーバ７０から送信される応答信号の受信を待機する。この応答信号を受信すると、受信した応答信号に記されるＵＲＬ情報に基づき、当該ＵＲＬ先のウェブサーバ９０にアクセスして、当該ＵＲＬ先のウェブサーバ９０から、当該ＵＲＬに対応するネットワークコンテンツを取得し、このネットワークコンテンツを、ユーザインタフェース５７を通じてユーザに向けて出力する（Ｓ３２０）。
【０１６７】
以上、第二実施例の情報提供システム１の構成について説明したが、本実施例によれば、音響ＩＤに関する問合せ信号の受信時には、情報提供サーバ７０が、ネットワークコンテンツ自体やそのＵＲＬ情報を送信せず、問合せのあった音響ＩＤを基準に、同一放送局において、この音響ＩＤより遡ってＮ個前までに放送された音響ＩＤのリストを、応答信号に格納して送信する。従って、本実施例によれば、応答信号のデータサイズを抑えることができ、ユーザが必要としていないネットワークコンテンツに関する通信量を抑えることができる。従って、本実施例によれば、ユーザが所望するネットワークコンテンツを効率的に提供することができる。
【０１６８】
ところで、上記実施例によれば、情報提供サーバ７０では、音響ＩＤに対応するネットワークコンテンツそれ自体を記憶することなく、当該ネットワークコンテンツのＵＲＬ情報を記憶し、このＵＲＬ情報を、コンテンツ問合せ信号に対応して情報端末５０に提供するようにした。しかしながら、情報提供サーバ７０は、音響ＩＤに対応するネットワークコンテンツ自体を記憶保持する構成にされてもよく、情報端末５０からのコンテンツ問合せ信号に対して、Ｓ４２０，Ｓ４３０（図８Ｃ参照）では、当該問合せ信号が示す音響ＩＤに対応するネットワークコンテンツ自体を格納した応答信号を生成し、これを情報端末５０に送信する構成にされてもよい。
【０１６９】
このように情報提供サーバ７０を構成すれば、情報端末５０の制御ユニット５５は、Ｓ３２０（図８Ｂ参照）において、ウェブサーバ９０にアクセスすることなく、応答信号に含まれるネットワークコンテンツをユーザに向けて出力することができる。
【０１７０】
また、コード時系列データの一群及びコンテンツ詳細データの一群は夫々、異なるサーバに設けられてもよい。即ち、本実施例の情報提供サーバ７０としての機能は、複数のサーバによって実現されてもよい。
【０１７１】
この他、本実施例において情報提供サーバ７０の制御ユニット７１が実行するＳ１３０〜Ｓ１５０の処理（図４参照）は、上述した第一局面の情報提供サーバが有する旧情報コード送信手段によって実現される処理の一例に対応し、情報提供サーバ７０が有する記憶ユニット７５は、コンテンツ情報記憶手段の一例に対応し、情報端末５０の制御ユニット５５が実行するＳ２２０の処理（図６Ａ参照）は、第一局面の情報端末が有する抽出手段によって実現される処理の一例に対応し、Ｓ２３０の処理は、問合せ手段によって実現される処理の一例に対応し、Ｓ２４０の処理は、旧情報コード受信手段によって実現される処理の一例に対応し、Ｓ２６０の処理（図８Ｂに示す取得出力処理）は、コンテンツ出力手段によって実現される処理の一例に対応する。
【０１７２】
［第三実施例］
続いて、第三実施例の情報提供システム１について説明する。但し、第三実施例の情報提供システム１は、放送局装置１０が、放送局コード及び放送時刻の組合せからなる情報コードを音響ＩＤとして組み込んだ放送信号を生成して出力することに起因して、情報端末５０及び情報提供サーバ７０の構成及び処理動作が第一実施例と異なる程度のものである。従って、以下では、第三実施例の情報提供システム１の構成として、第一実施例とは異なる構成を選択的に説明し、第一実施例と同一構成部分の説明を適宜省略する。
【０１７３】
まず、図９Ａに示されるタイムチャートを用いて、放送局装置１０から出力される放送信号に含まれる音響ＩＤの時間変化を説明する。図９Ａに示すように、本実施例の音響ＩＤは、放送局コードに、コンテンツコードに代わる放送時刻を表すコード（以下「時刻コード」と表現する）が付加されたものである。この時刻コードは、放送コンテンツの変化とは無関係に、コマーシャル等よりも短い時間間隔（図９Ａに示す例によれば５秒間隔）で切り替えられる。このような放送コンテンツに対する音響ＩＤの付加は、放送局装置１０が有する付加ユニット１３によって実現される。
【０１７４】
一方、情報提供サーバ７０は、第一及び第二実施例のような放送局毎のコード時系列データを記憶ユニット７５に記憶しない代わりに、図９Ｂに示すように、放送時刻に関連付けて配列されたコンテンツ詳細データ群であるスケジュールデータを記憶ユニット７５において放送局毎に記憶する。
【０１７５】
具体的に、記憶ユニット７５は、放送局毎のスケジュールデータを、該当する放送局コードに関連付けて記憶し、このスケジュールデータを構成するコンテンツ詳細データとして、放送コンテンツの放送開始時刻と、放送コンテンツのタイトル情報と、その放送コンテンツに対応するネットワークコンテンツのＵＲＬ情報と、からなるコンテンツ詳細データを放送コンテンツ毎に記憶する。但し、コンテンツ詳細データが示す放送開始時刻は、音響ＩＤとして付加される放送時刻の単位（図９Ａでは５秒単位）に限定されるものではなく、それよりも短い刻み（例えば１秒単位）であってもよい。
【０１７６】
このような放送局毎のスケジュールデータを有する情報提供サーバ７０の制御ユニット７１は、起動後繰り返し図１０に示す処理を実行することにより、情報端末５０から送信される音響ＩＤに関する問合せ信号を受け付けて、この問合せ信号に対する応答信号を、問合せ元の情報端末５０に送信する。
【０１７７】
具体的に、制御ユニット７１は、情報端末５０から音響ＩＤに関する問合せ信号を受信すると（Ｓ５１０でＹｅｓ）、Ｓ５２０にて、この問合せ信号が示す音響ＩＤの放送局コードに基づき、この音響ＩＤが放送された放送局を特定する。
【０１７８】
その後、制御ユニット７１は、この問合せ信号が示す音響ＩＤの時刻コード及びデータ要求範囲の情報に基づき、上記特定した放送局において、当該問合せ信号が示す音響ＩＤと共に放送された放送コンテンツを含む上記データ要求範囲に該当する放送コンテンツの夫々に対応したコンテンツ詳細データを格納した応答信号を生成する（Ｓ５３０）。
【０１７９】
本実施例において、情報端末５０から送信される問合せ信号には、問合せ対象の音響ＩＤの他に、データ要求範囲の情報が含まれる。データ要求範囲は、要求するコンテンツ詳細データの数Ｘ、又は、要求するコンテンツ詳細データに対応する放送コンテンツの放送期間Ｔによって表現されるパラメータであり、例えば、３個とか３０秒といった数又は時間を表す値として表現される。
【０１８０】
制御ユニット７１は、データ要求範囲が、コンテンツ詳細データの数Ｘを表すものである場合、応答信号として、Ｘ個分のコンテンツ詳細データを格納した応答信号を生成する。具体的には、まず、この問合せ信号が示す音響ＩＤに基づき、この音響ＩＤが示す放送時刻に放送されていた放送コンテンツを、この音響ＩＤが放送された放送局のスケジュールデータから特定する。
【０１８１】
スケジュールデータには、該当する放送局にて放送される放送コンテンツの放送開始時刻がもれなく記載されており、一つの放送コンテンツが放送される期間は、その放送開始時刻から次に放送される放送コンテンツの放送開始時刻までの期間としてスケジュールデータから特定できる。即ち、音響ＩＤが示す放送時刻に放送されていた放送コンテンツの特定は、この音響ＩＤが示す放送時刻と同時刻又はそれより前の放送開始時刻を示し、この音響ＩＤが示す放送時刻より後に放送が終了する放送コンテンツをスケジュールデータから特定することにより実現することができる。
【０１８２】
制御ユニット７１は、問合せ信号が示す音響ＩＤと共に放送されていた放送コンテンツの特定後、この特定した放送コンテンツ（以下「基準放送コンテンツ」と表現する）を基準に、当該基準放送コンテンツより１つ前に同一放送局にて放送された放送コンテンツから、当該基準放送コンテンツより（Ｘ−１）個前に同一放送局にて放送された放送コンテンツまでを特定する。そして、これら各放送コンテンツのコンテンツ詳細データを、該当放送局のスケジュールデータから抽出して、これら基準放送コンテンツ及び基準放送コンテンツより（Ｘ−１）個前までに同一放送局にて放送された各放送コンテンツのコンテンツ詳細データを格納した応答信号を生成する。
【０１８３】
一方、制御ユニット７１は、データ要求範囲が、放送期間Ｔを表すものである場合、応答信号として、音響ＩＤが示す放送時刻を終点とし、当該音響ＩＤが示す放送時刻からデータ要求範囲が示す時間分遡った時刻を始点とする放送期間Ｔにおいて放送された各放送コンテンツのコンテンツ詳細データを格納した応答信号を生成する。具体的には、上記放送期間Ｔの始点において放送中であった放送コンテンツ、上記放送期間Ｔの終点において放送中であった上記基準放送コンテンツ、及び、この二つの放送コンテンツの間に放送された放送コンテンツの夫々のコンテンツ詳細データを格納した応答信号を生成する。
【０１８４】
その後、制御ユニット７１は、生成した上記応答信号を、問合せ信号送信元の情報端末５０に、通信ユニット７３を通じて送信する（Ｓ５４０）。制御ユニット７１は、音響ＩＤに関する問合せ信号を受信する度（Ｓ５１０でＹｅｓ）、このようなＳ５２０〜Ｓ５４０の処理を実行する。
【０１８５】
一方、情報端末５０の制御ユニット５５は、第一実施例と同様に図６Ａ及び図６Ｂに示す処理を実行して、コンテンツ出力操作に対応した処理を実行する。Ｓ２３０では、Ｓ２２０で特定した音響ＩＤを、問合せ対象の音響ＩＤとして記した上記音響ＩＤに関する問合せ信号であって、更に、予めユーザにより設定されたデータ要求範囲の情報を記した問合せ信号を、通信ユニット５３から情報提供サーバ７０に向けて送信する。このデータ要求範囲の設定情報は、電気的にデータ書換可能なフラッシュメモリ等のＲＯＭに記憶させておくことができる。例えば、ＲＯＭ５５ａを、フラッシュメモリとすれば、このＲＯＭ５５ａに、プログラムと共に、上記設定情報を記憶させておくことができる。
【０１８６】
また、Ｓ２５０では、受信した応答信号に示される放送コンテンツ毎のコンテンツ詳細データに基づき、ネットワークコンテンツを取得可能な放送コンテンツ毎に、当該放送コンテンツのタイトルを放送時刻と共に列挙した画面であって、各タイトルを選択するための操作オブジェクトを記した画面を表示することができる。即ち、出力利対象選択画面としては、例えば、図６Ｂに示す出力対象選択画面における音響ＩＤに代えて放送時刻を記した構成の画面を表示することができる。
【０１８７】
本実施例の情報端末５０の制御ユニット５５は、このような形態で表示した出力対象選択画面に対するユーザ操作により、放送コンテンツの一つがネットワークコンテンツ出力対象として選択されると、当該選択された放送コンテンツに対応するネットワークコンテンツを、上記受信した応答信号に含まれるＵＲＬ情報に基づき取得する。そして、当該取得したネットワークコンテンツを、ユーザインタフェース５７を通じてユーザに出力する（Ｓ２６０）。
【０１８８】
以上、第三実施例の情報提供システム１の構成について説明した。本実施例によっても第一実施例と同様に、コンテンツ出力操作直後にマイクロフォン５１にて収集された放送音声から抽出された音響ＩＤに基づき、当該音響ＩＤと共に放送された放送コンテンツに対応するネットワークコンテンツ、及び、それ以前に放送された放送コンテンツに対応するネットワークコンテンツの一つを、ユーザからの選択操作に従って出力することができる。従って、ユーザの操作遅れによって、ユーザ所望のネットワークコンテンツに対応する音響ＩＤを放送音声から抽出することができない場合でも、このネットワークコンテンツをユーザに提供することができる。従って、本実施例によれば、音響ＩＤの利用促進に役立つ。
【０１８９】
また、第三実施例の情報提供システム１に関しても、第一実施例の変形例と同様に、情報提供サーバ７０には、音響ＩＤに対応するネットワークコンテンツの情報として、ネットワークコンテンツのＵＲＬ情報ではなく、ネットワークコンテンツ自体を記憶させることができる。情報提供サーバ７０の制御ユニット７１は、情報端末５０から音響ＩＤに関する問合せ信号を受信すると、データ要求範囲に該当する各放送コンテンツの放送時刻、タイトル、及び、当該放送コンテンツに対応するネットワークコンテンツ自体を格納した応答信号を、問合せ信号送信元の情報端末５０に送信する構成にすることができる。
【０１９０】
具体的に、情報提供サーバ７０は、ネットワークコンテンツのＵＲＬ情報に代えて、該当するネットワークコンテンツを記憶ユニット７５から読み出すためのファイル情報を有したコンテンツ詳細データを記憶した構成にされ得る。そして、このファイル情報に基づき、記憶ユニット７５に記憶されたネットワークコンテンツを読み出して、これを情報端末５０に送信する構成にすることができる。
【０１９１】
また、本実施例において情報提供サーバ７０の制御ユニット７１が実行するＳ５３０，Ｓ５４０の処理（図１０参照）は、上述した第三局面の情報提供サーバが有するコンテンツ情報送信手段によって実現される処理の一例に対応し、情報端末５０の制御ユニット５５が実行するＳ２２０の処理（図６Ａ参照）は、第三局面の情報端末が有する抽出手段によって実現される処理の一例に対応し、Ｓ２３０の処理は、問合せ手段によって実現される処理の一例に対応し、Ｓ２４０の処理は、コンテンツ情報受信手段によって実現される処理の一例に対応し、Ｓ２６０の処理は、コンテンツ出力手段によって実現される処理の一例に対応する。
【０１９２】
［第四実施例］
続いて、第四実施例の情報提供システム１について説明する。第四実施例の情報提供システム１は、音響ＩＤを搬送するキャリア信号の周波数として異なる複数のキャリア周波数を用いて、音響ＩＤを複数同時に出力するように、放送局装置１０を構成したものである。このように第四実施例の情報提供システム１は、放送局装置１０が、音響ＩＤを異なる周波数帯で複数同時に出力するシステムであるが、他の多くの構成は、第一実施例〜第三実施例の情報提供システム１と共通する。以下では、第一実施例〜第三実施例の情報提供システム１と共通する構成の説明を適宜省略する。
【０１９３】
第四実施例における放送局装置１０の付加ユニット１３は、図１１に示すように、第一及び第二の変換ユニット１３１，１３２と、混合ユニット１３５と、を備える。第一の変換ユニット１３１は、第一のキャリア周波数を示すキャリア信号（搬送波）を、入力ユニット１１から与えられた第一の音響ＩＤにより変調することによって、第一の音響ＩＤをユーザが認識困難な不可聴周波数帯の音声信号に変換して、混合ユニット１３５に入力するものである。
【０１９４】
一方、第二の変換ユニット１３２は、上記第一のキャリア周波数とは異なる第二のキャリア周波数を示すキャリア信号（搬送波）を、入力ユニット１１から与えられた第二の音響ＩＤにより変調することによって、第二の音響ＩＤをユーザが認識困難な不可聴周波数帯の音声信号に変換して、混合ユニット１３５に入力するものである。
【０１９５】
混合ユニット１３５は、放送コンテンツの音声信号と、第一の変換ユニット１３１にて生成された上記第一の音響ＩＤの音声信号と、第二の変換ユニット１３２にて生成された上記第二の音響ＩＤの音声信号と、を混合（ミキシング）して、放送信号として出力する音声信号を生成し、これを出力ユニット１５に入力する。
【０１９６】
第一及び第二実施例によれば、音響ＩＤは、放送局コードに、放送コンテンツ別のコンテンツコードが付与されたものであり、第三実施例によれば、音響ＩＤは、放送局コードに時刻コードが付与されたものである。第四実施例によれば、このような音響ＩＤを二つに分離し、第一の音響ＩＤとして、放送局コードを付加ユニット１３に入力し、第二の音響ＩＤとしてコンテンツコード又は時刻コードを付加ユニット１３に入力する。
【０１９７】
第一の音響ＩＤに放送局コードを採用し、第二の音響ＩＤにコンテンツコードを採用したときに放送信号に組み込まれる第一及び第二の音響ＩＤは、例えば、図１２Ａに示すように時間変化する。
【０１９８】
一方、第一の音響ＩＤに放送局コードを採用し、第二の音響ＩＤに時刻コードを採用したときに放送信号に組み込まれる第一及び第二の音響ＩＤは、例えば、図１２Ｂに示すように時間変化する。
【０１９９】
このような音響ＩＤの入力によって、放送信号としては、放送コンテンツの映像及び音声、第一の音響ＩＤに対応する音声、並びに、第二の音響ＩＤに対応する音声信号が組み込まれた放送信号が放送局装置１０にて生成され、放送アンテナ２０から出力される。
【０２００】
情報端末５０では、このような複数のキャリア周波数で送信されてくる複数の音響ＩＤの夫々をマイクロフォン５１の入力信号を解析することにより抽出する（Ｓ２２０）。このように構成された第四実施例の情報提供システム１によっても、第一〜第三実施例と同様の効果を得ることが可能である。
【０２０１】
［第五実施例］
続いて、第五実施例の情報提供システム１について説明する。第五実施例の情報提供システム１は、第三実施例の情報提供システム１を変形したものであり、放送局装置１０から音響ＩＤとして、放送局コードのみを放送コンテンツに付加した放送信号を出力するようにしたものである。即ち、第五実施例によれば、各放送局の放送信号には、図１３Ａに示すように、放送コンテンツの切替に依らず、放送局コードからなる一定の音響ＩＤが組み込まれる。
【０２０２】
情報端末５０の制御ユニット５５は、この音響ＩＤを用いて、第三実施例と同様の応答信号を情報提供サーバ７０から取得し、ユーザ所望のネットワークコンテンツをユーザに向けて出力する。尚、第五実施例の情報提供システム１は、情報端末５０における処理が、第三実施例と異なる程度であるため、以下では、第五実施例の情報提供システム１の説明として、情報端末５０の制御ユニット５５が実行する処理を選択的に説明し、第三実施例と同一構成に係る説明を適宜省略する。
【０２０３】
第五実施例における情報端末５０の制御ユニット５５は、図６Ａ及び図６Ｂに示す処理に代えて、図１３Ｂ及び図１３Ｃに示す処理を繰り返し実行する。即ち、制御ユニット５５は、コンテンツ出力操作がユーザインタフェース５７を通じてなされるまで待機する（Ｓ６１０でＮｏ）。コンテンツ出力操作がなされると（Ｓ６１０でＹｅｓ）、予め定められた時間マイクロフォン５１からの入力信号を取得し、この入力信号を解析することにより、入力信号に含まれる現在放送及び再生中の音響ＩＤを抽出し特定すると共に、この音響ＩＤの放送時刻を、自装置の内部時計に基づき特定する。即ち、音響ＩＤを特定した時刻を、この音響ＩＤの放送時刻として特定する（Ｓ６２０）。
【０２０４】
そして、Ｓ６２０で音響ＩＤを特定することができなかった場合には、Ｓ６２５で否定判断して、音響ＩＤを取得できなかった旨のメッセージを表示した後（Ｓ６２９）、Ｓ６１０に処理を戻す。一方、Ｓ６２０で音響ＩＤを正常に特定することができた場合には、Ｓ６２５で肯定判断して、Ｓ６３０以降の処理を実行する。
【０２０５】
Ｓ６３０に移行すると、制御ユニット５５は、Ｓ６２０で特定した音響ＩＤを、問合せ対象の音響ＩＤとして記した上記音響ＩＤに関する問合せ信号であって、更に、Ｓ６２０で特定した当該音響ＩＤの放送時刻の情報と、予めユーザにより設定されたデータ要求範囲の情報とを記した問合せ信号を、通信ユニット５３から情報提供サーバ７０に向けて送信する。
【０２０６】
情報端末５０から音響ＩＤに関する問合せ信号を受信すると、情報提供サーバ７０は、当該問合せ信号に示される音響ＩＤ、放送時刻及びデータ要求範囲の情報に基づき、第三実施例と同様の処理を実行する。即ち、問合せ信号に示される音響ＩＤ及び放送時刻を、第三実施例の音響ＩＤとみなした場合に、第三実施例の情報提供サーバ７０が実行する処理と同様の処理を実行して、問合せ信号送信元の情報端末５０に応答信号を送信する。
【０２０７】
情報端末５０の制御ユニット５５は、この応答信号を受信すると（Ｓ６４０）、第三実施例と同様に、受信した応答信号に示される放送コンテンツ毎のコンテンツ詳細データに基づき、ネットワークコンテンツを取得可能な放送コンテンツ毎に、当該放送コンテンツのタイトルを放送時刻と共に列挙した画面であって、各タイトルを選択するための操作オブジェクトを記した画面を表示する（Ｓ６５０）。そして、出力対象選択画面に対するユーザ操作により、放送コンテンツの一つがネットワークコンテンツ出力対象として選択されると、当該選択された放送コンテンツに対応するネットワークコンテンツを、上記受信した応答信号に含まれるＵＲＬ情報に基づき取得する。当該取得したネットワークコンテンツを、ユーザインタフェース５７を通じて出力する（Ｓ６６０）。
【０２０８】
以上、第五実施例の情報提供システム１について説明したが、この情報提供システム１によっても、ユーザ所望の放送コンテンツに対応するネットワークコンテンツを、音響ＩＤを用いて、ユーザに提供することができる。尚、第五実施例の情報提供システム１に関しても、情報提供サーバ７０には、ネットワークコンテンツのＵＲＬ情報ではなく、ネットワークコンテンツ自体を記憶させておくことができる。即ち、情報提供サーバ７０の制御ユニット７１は、情報端末５０から音響ＩＤに関する問合せ信号を受信すると、データ要求範囲に該当する各放送コンテンツの放送時刻、タイトル、及び、当該放送コンテンツに対応するネットワークコンテンツ自体を格納した応答信号を、問合せ信号送信元の情報端末５０に送信する構成にすることができる。
【０２０９】
［第六実施例］
続いて、第六実施例の情報提供システム１について説明する。本実施例の情報提供システム１は、第二実施例の情報提供システム１を変形したものであり、テレビジョン装置３０が、音響ＩＤの再生履歴を記憶し、この再生履歴を情報端末５０に提供できるように構成されたものである。情報端末５０は、マイクロフォン５１の入力信号から抽出された音響ＩＤより前に放送され再生された音響ＩＤの情報を、このテレビジョン装置３０から取得し、この取得した音響ＩＤに対応するネットワークコンテンツのＵＲＬ情報を、通信ユニット５３及び広域ネットワークを通じて情報提供サーバ７０から取得して、ユーザが所望するネットワークコンテンツをユーザに向けて出力する。
【０２１０】
図１４に示すように本実施例のテレビジョン装置３０は、スピーカ３１と、モニタ３３と、受信再生ユニット３５と、制御ユニット３７と、近距離通信ユニット３９と、を備える。
【０２１１】
受信再生ユニット３５は、各放送局から送信されてくる放送信号を受信し、その放送信号を再生することにより、放送信号に含まれる映像を、モニタ３３を通じて出力すると共に、放送信号に含まれる音声を、スピーカ３１を通じて出力するものである。本実施例の放送信号には、第二実施例と同じ音響ＩＤが含まれるため、受信再生ユニット３５による放送信号の再生時、スピーカ３１を通じては、放送コンテンツに対応する音声がユーザにより認識可能な音声として出力されると共に、音響ＩＤに対応する音声がユーザにより認識困難な音声として出力される。
【０２１２】
また、制御ユニット３７は、テレビジョン装置３０全体を統括制御するものであり、例えば、図示しないリモートコントローラ等を通じて入力されるユーザの操作信号に従って、受信再生ユニット３５を制御し、ユーザが所望する放送局の放送信号を、受信再生ユニット３５に受信及び再生させる。
【０２１３】
この他、近距離通信ユニット３９は、例えばブルートゥース（登録商標）規格の無線通信ユニットとして構成されるものであり、例えば２．４ＧＨｚ帯の無線電波を用いて外部装置と無線通信するものである。本実施例においてこの近距離通信ユニット３９は、情報端末５０との通信に用いられる。
【０２１４】
本実施例の情報端末５０は、第一実施例や第二実施例等と同様に、マイクロフォン５１、通信ユニット５３、制御ユニット５５、及び、ユーザインタフェース５７を備える他、テレビジョン装置３０と近距離無線通信するための近距離通信ユニット５９を備える。この近距離通信ユニット５９は、例えば、テレビジョン装置３０から過去に再生された音響ＩＤの情報を取得するために用いられる。
【０２１５】
テレビジョン装置３０が備える制御ユニット３７の話に戻る。本実施例のテレビジョン装置３０が備える制御ユニット３７は、受信再生ユニット３５により再生された音響ＩＤの情報を、当該制御ユニット３７が備えるＲＡＭ３７ａに書き込む履歴書込処理ＰＲ１を、テレビジョン装置３０の起動後に繰り返し実行する。また、履歴書込処理ＰＲ１とは並列に、情報端末５０から近距離通信ユニット３９を通じて音響ＩＤに関する問合せ信号を受信し、この問合せ信号に対する応答信号を問合せ元の情報端末５０に近距離通信ユニット３９を通じて送信する問合せ信号受付処理ＰＲ２を、テレビジョン装置３０の起動後に繰り返し実行する。
【０２１６】
図１５Ａに示すように、履歴書込処理ＰＲ１を開始すると、制御ユニット３７は、受信再生ユニット３５からスピーカ３１に入力される音声信号を解析して、音声信号に含まれる音響ＩＤを抽出する（Ｓ７１０）。そして、抽出された音響ＩＤが前回抽出された音響ＩＤから変化した否かを判断し（Ｓ７２０）。変化していないと判断すると（Ｓ７２０でＮｏ）、Ｓ７１０に処理を戻し、変化したと判断すると（Ｓ７２０でＹｅｓ）、Ｓ７３０に移行する。尚、Ｓ７１０で音響ＩＤの抽出に失敗した場合には、Ｓ７２０において形式的に否定判断して、Ｓ７１０に処理を戻せばよい。
【０２１７】
Ｓ７３０に移行すると、制御ユニット３７は、ＲＡＭ３７ａが記憶する再生履歴データ内に、今回抽出された音響ＩＤを登録することにより、この音響ＩＤの再生履歴をＲＡＭ３７ａに記憶する。その後、当該履歴書込処理を終了し、再度Ｓ７１０から処理を開始する。
【０２１８】
図１４に示すように、再生履歴データは、最も新しく登録された音響ＩＤから、登録順に所定個の音響ＩＤが配列されたデータとして構成される。即ち、再生履歴データは、放送局から放送されてテレビジョン装置３０で再生された音響ＩＤが、最も新しく再生された音響ＩＤから、再生順に所定個配列された構成にされる。
【０２１９】
図１４に示す例によれば、再生履歴データは、最新の音響ＩＤ、その１つ前に再生された音響ＩＤ、その２つ前に再生された音響ＩＤの順に、最も新しく再生された音響ＩＤから４つ前に再生された音響ＩＤまでの音響ＩＤ群が配列された構成にされている。制御ユニット３７は、Ｓ７３０の実行時に、再生履歴データに既に上記所定個の音響ＩＤが登録されている場合、最も古い音響ＩＤを削除して、最新の音響ＩＤを当該再生履歴データに登録する。
【０２２０】
また、図１５Ｂに示すように、問合せ信号受付処理を開始すると、制御ユニット３７は、近距離通信ユニット３９を通じて情報端末５０から音響ＩＤに関する問合せ信号を受信するまで待機する（Ｓ８１０）。この問合せ信号を受信すると（Ｓ８１０でＹｅｓ）、この問合せ信号が示す音響ＩＤを含む当該音響ＩＤから遡ってＮ個前までにテレビジョン装置３０にて再生された音響ＩＤの一群を、ＲＡＭ３７ａが記憶する再生履歴データを参照することにより特定する（Ｓ８２０）。そして、この音響ＩＤの一群を記した応答信号を生成し（Ｓ８３０）、これを問合せ元の情報端末５０に近距離通信ユニット３９を通じて送信する（Ｓ８４０）。
【０２２１】
一方、このような音響ＩＤに関する問合せ信号を送信する情報端末５０の制御ユニット５５は、図６Ａに示すようにコンテンツ出力操作がなされると（Ｓ２１０でＹｅｓ）、Ｓ２２０以降の処理を実行する。Ｓ２３０では、Ｓ２２０で特定した音響ＩＤを記した当該音響ＩＤに関する問合せ信号を、情報提供サーバ７０ではなく、近距離通信ユニット５９を通じて、テレビジョン装置３０に送信し、Ｓ２４０では、テレビジョン装置３０における上記問合せ信号受付処理ＰＲ２によって生成され送信される応答信号を、近距離通信ユニット５９を通じて受信する。
【０２２２】
そして、Ｓ２５０では、この応答信号に含まれる音響ＩＤの夫々を、当該音響ＩＤを選択するための操作オブジェクトと共に記した出力対象選択画面を、ユーザインタフェース５７を通じて表示し、この出力対象選択画面を通じたユーザによる選択操作が完了すると、Ｓ２６０にて、図８Ｂに示す取得出力処理を実行する。この動作によって、ユーザにより選択されたネットワークコンテンツ出力対象の音響ＩＤに対応するネットワークコンテンツを取得し、このネットワークコンテンツを、ユーザインタフェース５７を通じて出力する。
【０２２３】
以上、第六実施例の情報提供システム１について説明したが、この情報提供システム１によっても、ユーザは、情報端末５０に対する操作の遅れにより、所望の音響ＩＤを、情報端末５０のマイクロフォン５１を通じて、その放送中に取得できなかった場合でも、上記取得できなかった音響ＩＤに対応するネットワークコンテンツを利用することができる。
【０２２４】
尚、第二実施例と同様に、情報提供サーバ７０は、情報端末５０からのコンテンツ問合せ信号に対して、コンテンツ問合せ信号が示す音響ＩＤに対応するネットワークコンテンツのＵＲＬ情報を格納した応答信号を生成し、これを送信する構成にされてもよいし、コンテンツ問合せ信号が示す音響ＩＤに対応するネットワークコンテンツ自体を格納した応答信号を生成し、これを情報端末５０に送信する構成にされてもよい。
【０２２５】
また、テレビジョン装置３０の制御ユニット３７は、次の処理を実行するように構成されてもよい。即ち、制御ユニット３７は、問合せ信号を受信すると（Ｓ８１０でＹｅｓ)、Ｓ８２０の処理を実行した後に、Ｓ８３０に移行し、Ｓ８２０で特定された上記音響ＩＤの一群に属する音響ＩＤの夫々に対応するネットワークコンテンツのＵＲＬ情報（又はネットワークコンテンツ自体）、及び、対応する放送コンテンツのタイトル情報を情報提供サーバ７０から取得する。制御ユニット３７は、これら情報提供サーバ７０から取得した情報（データ）を音響ＩＤと共に格納した応答信号を生成し、Ｓ８４０では、この応答信号を、近距離通信ユニット３９を通じて情報端末５０に送信する構成にされてもよい。但し、この場合には、テレビジョン装置３０に、情報提供サーバ７０と広域ネットワークを通じて通信するための通信ユニットを設ける。
【０２２６】
一方、このようなテレビジョン装置３０の構成に対応して、情報端末５０は、図６Ａ及び図６Ｂに示す処理を開始した場合、Ｓ２３０では、Ｓ２２０でマイクロフォン５１の入力信号から抽出し特定した音響ＩＤを記した当該音響ＩＤに関する問合せ信号を、近距離通信ユニット５９を通じて、テレビジョン装置３０に送信し、Ｓ２４０では、テレビジョン装置３０から送信されるネットワークコンテンツのＵＲＬ情報（又はネットワークコンテンツ自体）を含む応答信号を、近距離通信ユニット５９を通じて受信する構成にすることができる。
【０２２７】
Ｓ２５０では、この応答信号に含まれる各音響ＩＤに対応する放送コンテンツのタイトルを当該音響ＩＤと共に列挙した画面であって、ネットワークコンテンツ出力対象の音響ＩＤを選択するための操作オブジェクトを記した出力対象選択画面を、ユーザインタフェース５７を通じて表示する構成にすることができる。そして、この出力対象選択画面を通じたユーザによる選択操作が完了すると、Ｓ２６０にて、上記応答信号に含まれるＵＲＬ情報に基づき、ユーザにより選択されたネットワークコンテンツ出力対象の音響ＩＤに対応するネットワークコンテンツを取得し（又は応答信号に含まれる該当ネットワークコンテンツを取得し）、このネットワークコンテンツを、ユーザインタフェース５７を通じて出力する構成にすることができる。
【０２２８】
本実施例のテレビジョン装置３０は、上述した第四局面の再生装置の一例に対応し、制御ユニット３７が近距離通信ユニット３９を通じて情報端末５０からの問合せ信号を受信する動作（Ｓ８１０）は、再生装置が有する問合せ信号受信手段の一例に対応し、制御ユニット３７が実行するＳ８２０〜Ｓ８４０の処理は、上記再生装置が有する旧情報コード送信手段によって実現される処理の一例に対応する。また、本実施例の情報端末５０において制御ユニット５５が実行するＳ２２０の処理（図６Ａ参照）は、第四局面の再生装置に対応する情報端末が有する抽出手段によって実現される処理の一例に対応し、Ｓ２３０の処理は、問合せ手段によって実現される処理の一例に対応し、Ｓ２４０の処理は、旧情報コード受信手段によって実現される処理の一例に対応し、Ｓ２６０の処理は、コンテンツ出力手段によって実現される処理の一例に対応する。
【０２２９】
また、情報提供サーバ７０からネットワークコンテンツのＵＲＬ情報等を取得する上記変形例のテレビジョン装置３０は、上述した第五局面の再生装置の一例に対応し、変形例におけるＳ８２０の処理は、旧情報コード特定手段によって実現される処理の一例に対応し、Ｓ８３０，Ｓ８４０の処理は、コンテンツ情報送信手段によって実現される処理の一例に対応する。
【０２３０】
［第七実施例］
続いて、第七実施例の情報提供システム１について説明する。但し、本実施例の情報提供システム１は、第二実施例の情報提供システム１を変形したものであり、第二実施例において情報提供サーバ７０から情報端末５０に提供していた過去に放送した音響ＩＤのリストを、放送信号に組み込んで情報端末５０に提供するようにした程度のものである。従って、以下では、第七実施例の情報提供システム１の説明として、放送局装置１０における放送信号の生成手順及び情報端末５０におけるネットワークコンテンツの出力手順を説明し、第二実施例の情報提供システム１と同一構成の説明を適宜省略する。
【０２３１】
本実施例の放送局装置１０は、図１６Ａ及び図１６Ｂに示すように、番組やコマーシャル等の放送コンテンツに、この放送コンテンツに対応する音響ＩＤの他、時間的に一つ前及び二つ前に放送した放送コンテンツに対応する音響ＩＤを配列してなる音響ＩＤ列をユーザが認識困難な音声により付加し、この放送信号を出力する。
【０２３２】
具体的に、放送局装置１０の付加ユニット１３は、図１６Ａに示す処理を繰り返し実行することにより、入力ユニット１１から入力された放送コンテンツに付加する音響ＩＤ列を切り替えて、放送信号を生成する。
【０２３３】
図１６Ａに示す処理を開始すると、付加ユニット１３は、放送コンテンツに付加する音響ＩＤ列の切替タイミングが到来したか否かを判断する（Ｓ９１０）。付加ユニット１３は、具体的に、放送コンテンツの切替に伴って、入力ユニット１１から入力される音響ＩＤが切り替わる度、放送コンテンツに付加する音響ＩＤ列の切替タイミングが到来したと判断することができる。
【０２３４】
そして、音響ＩＤ列の切替タイミングが到来していないと判断すると（Ｓ９１０でＮｏ）、Ｓ９２０の処理を実行せずに、Ｓ９３０に移行し、音響ＩＤ列の切替タイミングが到来したと判断すると（Ｓ９１０でＹｅｓ）、Ｓ９２０に移行し、次の規則に従って放送コンテンツに付加する音響ＩＤ列を切り替える。
【０２３５】
具体的に、付加ユニット１３は、放送コンテンツに付加する音響ＩＤ列として現在設定されている音響ＩＤ列から、最も古い音響ＩＤを削除し、代わりに、今回新たに入力ユニット１１から入力された音響ＩＤを音響ＩＤ列に加えて、放送コンテンツに付加する音響ＩＤ列を切り替える。
【０２３６】
ここで、最も古い音響ＩＤとは、現在設定されている音響ＩＤ列を構成する音響ＩＤの一群のうち、時間的に最も前から上記音響ＩＤ列を構成する音響ＩＤとして用いられている音響ＩＤのことを言う。例えば、音響ＩＤ列として、３つの音響ＩＤを放送コンテンツに付加する場合であって、今回新たに入力ユニット１１から入力された音響ＩＤが「ＳＴｘｘ０１ＣＴｙｙ０７」であり、その一つ前に入力ユニット１１から入力された音響ＩＤが「「ＳＴｘｘ０１ＣＴｙｙ０６」であり、更に一つ前に入力ユニット１１から入力された音響ＩＤが「「ＳＴｘｘ０１ＣＴｙｙ０５」であり、更に一つ前に入力ユニット１１から入力された音響ＩＤが「ＳＴｘｘ０１ＣＴｙｙ０４」である場合を考える。
【０２３７】
この場合には、図１６Ｂに示すように、現在設定されている音響ＩＤ列「ＳＴｘｘ０１ＣＴｙｙ０４ＳＴｘｘ０１ＣＴｙｙ０５ＳＴｘｘ０１ＣＴｙｙ０６」を、「ＳＴｘｘ０１ＣＴｙｙ０５ＳＴｘｘ０１ＣＴｙｙ０６ＳＴｘｘ０１ＣＴｙｙ０７」に切り替えるように、放送コンテンツに付加する音響ＩＤ列の設定変更をＳ９２０にて行う。
【０２３８】
その後、付加ユニット１３は、Ｓ９３０に移行し、現在設定されている音響ＩＤ列（Ｓ９２０からＳ９３０に移行した場合には直前のＳ９２０による設定変更後の音響ＩＤ列）を、上述した手法でユーザにより認識困難な音声の形態で放送コンテンツに付加してなる放送信号を生成する。例えば、この音響ＩＤ列を、不可聴周波数帯の音声信号に変換し、当該音声信号を放送コンテンツの音声信号とミキシングすることで、放送コンテンツに音響ＩＤ列を付加してなる放送信号を生成する。付加ユニット１３は、このような処理を繰り返し実行する。
【０２３９】
一方、情報端末５０の制御ユニット５５は、図６Ａ及び図６Ｂに示す処理に代えて、図１７に示す処理を実行する。図１７に示す処理を開始すると、制御ユニット５５は、コンテンツ出力操作がなされるまで待機する（Ｓ１０１０でＮｏ）。コンテンツ出力操作がなされると（Ｓ１０１０でＹｅｓ）、マイクロフォン５１からの入力信号である当該マイクロフォン５１が収集した音声についての電気信号を所定時間分取得し、この入力信号を解析することにより、入力信号に含まれる現在放送及び再生中の音響ＩＤ列を抽出し特定する（Ｓ１０２０）。
【０２４０】
Ｓ１０２０で音響ＩＤ列を特定することができなかった場合、制御ユニット５５は、Ｓ１０２５で否定判断し、音響ＩＤを取得できなかった旨のメッセージを、ユーザインタフェース５７を通じて表示した後（Ｓ１０２９）、Ｓ１０１０に処理を戻す。一方、Ｓ１０２０で音響ＩＤ列を特定することができた場合には、Ｓ１０２５で肯定判断して、Ｓ１０５０に移行する。
【０２４１】
Ｓ１０５０に移行すると、制御ユニット５５は、Ｓ１０２０において特定された音響ＩＤ列を構成する音響ＩＤの夫々を、当該音響ＩＤを選択するための操作オブジェクトと共に記した出力対象選択画面を、ユーザインタフェース５７を通じて表示する。この際、音響ＩＤ列に組み込まれた時期が新しい音響ＩＤの順に、Ｓ１０２０において特定された音響ＩＤ列を構成する音響ＩＤの夫々を上記出力対象選択画面に配列することができる。
【０２４２】
そして、この出力対象選択画面を通じたユーザによる選択操作が完了すると、Ｓ１０６０にて、図８Ｂに示す取得出力処理を実行する。この動作によって、ユーザにより選択されたネットワークコンテンツ出力対象の音響ＩＤに対応するネットワークコンテンツを取得し、このネットワークコンテンツを、ユーザインタフェース５７を通じて出力する。
【０２４３】
以上、第七実施例の情報提供システム１の構成について説明した。本実施例によれば、情報提供サーバ７０の制御ユニット７１に、図４に示すような音響ＩＤに関する問合せ信号の受付処理を実行させなくても、情報端末５０のユーザに、コンテンツ出力操作時には、放送が終わってしまった放送コンテンツに対応するネットワークコンテンツを、その時点で放送されている音響ＩＤ列の情報に基づいて提供することができる。従って、本実施例によれば、ユーザ所望のネットワークコンテンツを提供することができ、音響ＩＤの利用促進に役立つ。
【０２４４】
尚、本実施例では、放送信号に音響ＩＤ列を組み込むようにしたが、音響ＩＤには、放送局コードとコンテンツコードとが含まれるため、放送信号に複数の音響ＩＤを組み込むと、放送局コードが非効率に繰り返し記されることになる。従って、上記複数の音響ＩＤに代えては、図１６Ｃに示すように、放送局コードに続けて複数の音響ＩＤについてのコンテンツコード部分のみを記した情報コードを、放送信号に組み込むように、付加ユニット１３は構成されてもよい。
【０２４５】
本実施例の放送局装置１０は、上述した第六局面の放送信号生成装置の一例に対応し、付加ユニット１３によって実行されるＳ９２０の処理（図１６Ａ参照）は、設定手段によって実現される処理の一例に対応し、Ｓ９３０の処理は、放送信号生成手段によって実現される処理の一例に対応する。また、本実施例の情報端末５０において制御ユニット５５が実行するＳ１０２０の処理（図１７参照）は、第六局面の放送信号生成装置に対応する情報端末が有する抽出手段によって実現される処理の一例に対応し、Ｓ１０６０の処理は、コンテンツ出力手段によって実現される処理の一例に対応する。
【０２４６】
［第八実施例］
続いて、第八実施例の情報提供システム１について説明する。第八実施例の情報提供システム１は、第七実施例の情報提供システム１を変形したものであり、放送局装置１０が二つの音響ＩＤを異なる周波数帯のキャリア信号（搬送波）を用いて放送コンテンツに付加する構成にされたものである。以下では、第八実施例の情報提供システム１の説明として、主に放送局装置１０における付加ユニット１３が実行する処理の内容を、図１８Ａ及び図１８Ｂを用いて説明し、第七実施例の情報提供システム１と同一構成部分の説明を、適宜省略する。
【０２４７】
本実施例の放送局装置１０が備える付加ユニット１３は、図１８Ａに示す処理を繰り返し実行することにより、二つの音響ＩＤを、入力ユニット１１から入力された放送コンテンツに付加して、放送信号を生成する。
【０２４８】
図１８Ａに示す処理を開始すると、付加ユニット１３は、放送コンテンツに付加する第一の音響ＩＤの切替タイミングが到来したか否かを判断する（Ｓ１１１０）。付加ユニット１３は、放送コンテンツの切替に伴って、入力ユニット１１から入力される音響ＩＤが切り替わる度、放送コンテンツに付加する第一の音響ＩＤの切替タイミングが到来したと判断することができる。
【０２４９】
そして、第一の音響ＩＤの切替タイミングが到来していないと判断すると（Ｓ１１１０でＮｏ）、Ｓ１１２０の処理を実行せずに、Ｓ１１３０に移行する。一方、第一の音響ＩＤの切替タイミングが到来したと判断すると（Ｓ１１１０でＹｅｓ）、Ｓ１１２０に移行し、第一の音響ＩＤを、入力ユニット１１から入力された音響ＩＤに設定する。その後、Ｓ１１３０に移行する。
【０２５０】
Ｓ１１３０に移行すると、付加ユニット１３は、第一の音響ＩＤの切替タイミングから予め定められた所定時間が経過したか否かを判断する。所定時間が経過していないと判断すると（Ｓ１１３０でＮｏ）、Ｓ１１４０の処理を実行せずに、Ｓ１１５０に移行する。一方、所定時間が経過したと判断すると（Ｓ１１３０でＹｅｓ）、Ｓ１１４０に移行して、当該所定時間前の切替タイミングで切り替えられた上記第一の音響ＩＤについての切替後の値を、第二の音響ＩＤとして設定する。その後、Ｓ１１５０に移行する。
【０２５１】
Ｓ１１５０に移行すると、付加ユニット１３は、予め定められた第一のキャリア周波数のキャリア信号（搬送波）を、現在設定されている第一の音響ＩＤにより変調することによって、第一の音響ＩＤをユーザが認識困難な第一の不可聴周波数帯の音声信号（以下「第一の電子透かし信号」と表現する）に変換する。更に、第一のキャリア周波数とは異なる第二のキャリア周波数のキャリア信号を、現在設定されている第二の音響ＩＤにより変調することによって、第二の音響ＩＤをユーザが認識困難な第二の不可聴周波数帯の音声信号（以下「第二の電子透かし信号」と表現する）に変換する。
【０２５２】
そして、これら第一及び第二の電子透かし信号を、入力ユニット１１から入力される放送コンテンツの音声信号とミキシングすることにより、放送コンテンツの音声信号に第一及び第二の音響ＩＤを付加した放送信号を生成し、これを出力ユニット１５に入力する。
【０２５３】
一方、情報端末５０の制御ユニット５５は、第七実施例と同様に図１７に示す処理を繰り返し実行し、コンテンツ出力操作がなされると（Ｓ１０１０でＹｅｓ）、マイクロフォン５１からの入力信号を解析して、第一及び第二の音響ＩＤを抽出し特定する（Ｓ１０２０）。そして、Ｓ１０５０では、これら特定できた第一及び第二の音響ＩＤの夫々を、当該音響ＩＤを選択するための操作オブジェクトと共に記した出力対象選択画面を、ユーザインタフェース５７を通じて表示する。
【０２５４】
この際、第一の音響ＩＤと第二の音響ＩＤとが同じである場合には、一方の音響ＩＤのみを出力対象選択画面に表示することができる。そして、この出力対象選択画面を通じたユーザによる選択操作が完了すると、Ｓ１０６０にて、図８Ｂに示す取得出力処理を実行する。これにより、コンテンツ出力操作時に放送されていた放送コンテンツに対応するネットワークコンテンツ、又は、この放送コンテンツの直前に放送された放送コンテンツに対応するネットワークコンテンツを、ユーザの選択操作に従って出力する。
【０２５５】
以上、第八実施例の情報提供システム１について説明したが、本実施例によっても、第七実施例と同様、コンテンツ出力操作時には、放送が終わってしまった放送コンテンツに対応するネットワークコンテンツを、その時点で放送されている音響ＩＤの情報に基づいて情報端末５０のユーザに、提供することができる。
【０２５６】
尚、本実施例では、図１８Ｂに示すように、第一の音響ＩＤから所定時間遅れて、当該第一の音響ＩＤと同一の音響ＩＤを第二の音響ＩＤとして放送することになるが、この時間遅れについては、ユーザの操作遅延を考慮して、例えば１０秒くらいの値に設定することができる。
【０２５７】
また、上記実施例では、第一の音響ＩＤの切替タイミングからの経過時間が所定時間となると、第二の音響ＩＤを切り替えるようにしたが、第一の音響ＩＤの切替タイミングと同時に、第二の音響ＩＤを切り替えるようにしてもよい。この場合には、第一の音響ＩＤの切替タイミングにおいて、第一の音響ＩＤを新しい値に切り替えると同時に、第二の音響ＩＤを、その切替前の第一の音響ＩＤと同一値に設定することができる。このような実施態様は、第七実施例で、音響ＩＤ列として放送していた二つの音響ＩＤを、異なる周波数帯で別々に放送することと基本的に等価である。
【０２５８】
本実施例の放送局装置１０は、上述した第七局面の放送信号生成装置の一例に対応し、付加ユニット１３によって実行されるＳ１１２０の処理（図１８Ａ参照）は、第一の設定手段によって実現される処理の一例に対応し、Ｓ１１４０の処理は、第二の設定手段によって実現される処理の一例に対応し、Ｓ１１５０の処理は、放送信号生成手段によって実現される処理の一例に対応する。また、情報端末５０の制御ユニット５５が実行するＳ１０２０の処理（図１７参照）は、第七局面の放送信号生成装置に対応する情報端末が有する抽出手段によって実現される処理の一例に対応し、Ｓ１０６０の処理は、コンテンツ出力手段によって実現される処理の一例に対応する。
【０２５９】
［第九実施例］
続いて、第九実施例の情報提供システム１について説明する。第九実施例の情報提供システム１は、第七実施例の情報提供システム１を変形したものであり、放送コンテンツに音響ＩＤ列を付加してなる放送信号を出力する代わりに、音響ＩＤ本体部の値が次に切り替えられるまでの残り時間を表す付属コードを、放送局コードとコンテンツコードとからなる音響ＩＤの本体部に加えてなる音響ＩＤを放送信号に組み込んで出力する構成にされたものである。
【０２６０】
従って、以下では、第九実施例の情報提供システム１の説明として、放送局装置１０の付加ユニット１３が実行する処理の内容を、図１９Ａ、図１９Ｂ及び図１９Ｃを用いて説明し、情報端末５０が図１７に示す処理に代えて実行する処理の内容を、図２０を用いて説明する。一方、第九実施例の情報提供システム１における第七実施例の情報提供システム１と同一構成部分の説明を、適宜省略する。
【０２６１】
図１９Ａに示すように、本実施例の放送信号が有する音響ＩＤは、第七実施例と同様の放送局コード及びコンテンツコードからなる本体部と、当該本体部の値が次回切り替えられるまでの残り時間を表す付属コードとの組合せからなる。図１９Ａに示す例は、残り時間「００１５」秒にヘッダ「ＮＴ」が付加されてなる付属コードが、音響ＩＤに組み込まれた例である。
【０２６２】
この音響ＩＤが有する付属コードは、逐次更新されて、放送信号に組み込まれる。図１９Ｂに示す例によれば、放送時刻１８時１５分１０秒に音響ＩＤ本体部の値が「ＳＴｘｘ０１ＣＴｙｙ０５」に切り替えられ、この音響ＩＤ本体部には、当該音響ＩＤ本体部の値が次に切り替えられる１８時１５分２５秒までの残り時間１５秒に対応した付属コード「ＮＴ００１５」が付加されて、音響ＩＤ「ＳＴｘｘ０１ＣＴｙｙ０５ＮＴ００１５」が放送コンテンツと共に放送される。
【０２６３】
そして、放送時刻１８時１５分１５秒には、付属コードが、１８時１５分２５秒までの残り時間１０秒に対応した値「ＮＴ００１０」に更新されて、音響ＩＤ「ＳＴｘｘ０１ＣＴｙｙ０５ＮＴ００１０」が放送コンテンツと共に放送され、放送時刻１８時１５分２０秒には、付属コードが、１８時１５分２５秒までの残り時間５秒に対応した値「ＮＴ０００５」に更新されて、音響ＩＤ「ＳＴｘｘ０１ＣＴｙｙ０５ＮＴ０００５」が放送コンテンツと共に放送される。
【０２６４】
更に、放送時刻１８時１５分２５秒には、放送コンテンツの切替と共に音響ＩＤ本体部の値が「ＳＴｘｘ０１ＣＴｙｙ０６」に切り替えられて、この音響ＩＤ本体部には、放送コンテンツ及び音響ＩＤ本体部が次に切り替えられる１８時１５分４０秒までの残り時間１５秒に対応した付属コード「ＮＴ００１５」が付加されて、音響ＩＤ「ＳＴｘｘ０１ＣＴｙｙ０６ＮＴ００１５」が放送コンテンツと共に放送される。
【０２６５】
このような音響ＩＤの切替は、付加ユニット１３が図１９Ｃに示す処理を繰り返し実行することにより実現される。
図１９Ｃに示す処理を開始すると、付加ユニット１３は、まず音響ＩＤ本体部の設定値を切り替えるタイミングが到来したか否かを判断する（Ｓ１２１０）。例えば、付加ユニット１３は、放送コンテンツの切替に伴って、入力ユニット１１から入力される音響ＩＤ本体部の値（放送局コード＋コンテンツコード）が切り替わる度、放送コンテンツに付加する音響ＩＤ本体部の設定値を切り替えるタイミングが到来したと判断することができる。
【０２６６】
音響ＩＤ本体部の設定値を切り替えるタイミングが到来していないと判断すると（Ｓ１２１０でＮｏ）、付加ユニット１３は、Ｓ１２２０の処理を実行せず、Ｓ１２３０に移行する。一方、音響ＩＤ本体部の設定値を切り替えるタイミングが到来したと判断すると（Ｓ１２１０でＹｅｓ）、Ｓ１２２０に移行して、音響ＩＤ本体部の設定値を、入力ユニット１１から入力された値（放送局コード＋コンテンツコード）に切り替えた後、Ｓ１２３０に移行する。
【０２６７】
Ｓ１２３０に移行すると、付加ユニット１３は、今回のＳ１２５０の処理で放送信号に組み込む音響ＩＤの放送時刻を基準に、この放送時刻から音響ＩＤ本体部の値が放送信号において次に切り替わる時刻までの残り時間を記した付属コードを、今回のＳ１２５０の処理で放送信号に組み込む付属コードに設定する。尚、残り時間については、放送局装置１０が有する放送コンテンツ及び音響ＩＤ本体部の放送スケジュールの情報を参照することにより特定することができる。
【０２６８】
Ｓ１２３０での処理を終えると、付加ユニット１３は、今回のＳ１２５０の処理で放送信号に組み込む音響ＩＤ本体部の値であるＳ１２２０で設定された音響ＩＤ本体部の最新値に、Ｓ１２３０で設定した付属コードを付加してなる音響ＩＤを、今回のＳ１２５０の処理で放送信号に組み込む音響ＩＤに設定する（Ｓ１２４０）。そして、この音響ＩＤをユーザが認識困難な音声により、入力ユニット１１から入力された放送コンテンツに付加して、放送アンテナ２０から出力する放送信号を生成する（Ｓ１２５０）。その後、再度Ｓ１２１０から処理を開始する。放送局装置１０は、このようにして、放送コンテンツに、音響ＩＤ本体部の次回切替時刻までの残り時間の情報を付加した放送信号を生成し、これを、放送アンテナ２０を通じて出力する。
【０２６９】
一方、情報端末５０の制御ユニット５５は、図２０に示す処理を実行することにより、コンテンツ出力操作に依らず、テレビジョン装置３０から再生される音響ＩＤに対応するネットワークコンテンツを逐次取得し、これをユーザに向けて出力する。
【０２７０】
図２０に示す処理を開始すると、制御ユニット５５は、マイクロフォン５１からの所定時間分の入力信号を解析して、入力信号に含まれる音響ＩＤを抽出し特定する（Ｓ１３１０）。そして、音響ＩＤを特定することができた場合には、Ｓ１３２０で肯定判断し、特定された音響ＩＤに含まれる付属コードが示す音響ＩＤ本体部の次回切替時刻までの残り時間に基づき、現在時刻から当該残り時間分未来の時刻を、マイクロフォン５１の入力信号の次回解析時刻（即ちＳ１３１０の次回実行時刻）に設定する（Ｓ１３３０）。
【０２７１】
更に、Ｓ１３１０で特定された音響ＩＤ本体部の値（放送局コード＋コンテンツコード）を、音響ＩＤの情報として記したコンテンツ問合せ信号を、情報提供サーバ７０に送信する（Ｓ１３４０）。そして、この問合せ信号に対する応答信号として、情報提供サーバ７０から、Ｓ１３１０で特定された放送局コード及びコンテンツコードに対応するネットワークコンテンツのＵＲＬ情報（又はネットワークコンテンツ自体）を、通信ユニット５３を通じて取得する（Ｓ１３５０）。
【０２７２】
尚、情報提供サーバ７０は、付属コードを除いた音響ＩＤの本体部分と、対応する放送コンテンツのタイトル情報と、対応するネットワークコンテンツのＵＲＬ情報（又はファイル情報）とからなるコンテンツ詳細データの一群を記憶ユニット７５に記憶するものとする。
【０２７３】
そして、制御ユニット５５は、上記取得した応答信号の内容に基づき、Ｓ１３１０で特定された音響ＩＤに対応するネットワークコンテンツを、ユーザインタフェース５７を通じてユーザに出力する（Ｓ１３６０）。例えば、応答信号にネットワークコンテンツのＵＲＬ情報が含まれる場合、制御ユニット５５は、このＵＲＬ情報に基づき、ＵＲＬ先のウェブサーバ９０から、このＵＲＬに対応するネットワークコンテンツを、通信ユニット５３を通じて取得し、このネットワークコンテンツを、ユーザインタフェース５７を通じて出力する。
【０２７４】
また、Ｓ１３６０での処理を終えると、制御ユニット５５は、Ｓ１３７０に移行し、Ｓ１３３０又はＳ１３２５の処理で設定された次回解析時刻が到来するか、Ｓ１３１０〜Ｓ１３６０の処理ルーチンについての終了条件が満足されるまで待機する（Ｓ１３７０，Ｓ１３８０）。情報端末５０の電源オフ操作がなされる等して上記終了条件が満足されると（Ｓ１３８０でＹｅｓ）、当該図２０に示す処理を終了する。一方、次回解析時刻が到来したと判断すると（Ｓ１３７０でＹｅｓ）、Ｓ１３１０に移行して、再度マイクロフォン５１から所定時間分の入力信号を取得及び解析し、Ｓ１３２０以降の処理を実行する。
【０２７５】
このような処理を実行することにより、情報端末５０の制御ユニット５５は、音響ＩＤに含まれる付属コードの情報に従って、放送信号において音響ＩＤ本体部（詳細にはコンテンツコード）の値が切り替わるタイミングに合わせて、マイクロフォン５１からの入力信号を取得及び解析し、音響ＩＤが示す放送局コード及びコンテンツコードに対応するネットワークコンテンツを効率的に取得してユーザに出力する。
【０２７６】
尚、Ｓ１３１０で音響ＩＤを特定することができず、Ｓ１３２０で否定判断した場合、制御ユニット５５は、Ｓ１３１０の実行時刻から、予め定められたリトライ間隔に対応する時間経過後の時刻を、次回解析時刻に設定し（Ｓ１３２５）、Ｓ１３７０に移行する。
【０２７７】
以上に説明した第九実施例の情報提供システム１によれば、情報端末５０が、音響ＩＤに対応するネットワークコンテンツをユーザに向けて出力する動作を自動的に繰り返し実行する。従って、コンテンツ出力操作に応じて音響ＩＤに対応するネットワークコンテンツの出力動作を行う情報提供システムのように、ユーザの操作遅れに対処しなくても、ユーザ所望のネットワークコンテンツをユーザに提供することができる。
【０２７８】
そして、本実施例によれば、情報端末５０が、放送信号に含まれる上記付属コードに基づいて、適切な時期に効率的に音響ＩＤの抽出動作を実行する。従って、ネットワークコンテンツを出力する動作を自動的に繰り返し実行することについてのデメリットが少なく、音響ＩＤの利用を促進することができる。例えば、情報端末５０がバッテリにて動作する電子機器である場合には、バッテリの消耗を抑えることができる。
【０２７９】
本実施例の放送局装置１０は、上述した第八局面の放送信号生成装置の一例に対応し、付加ユニット１３によって実行されるＳ１２２０の処理（図１９Ｃ参照）は、設定手段によって実現される処理の一例に対応し、Ｓ１２３０の処理は、更新時刻特定手段によって実現される処理の一例に対応し、Ｓ１２４０，Ｓ１２５０の処理は、放送信号生成手段によって実現される処理の一例に対応する。また、本実施例の情報端末５０において制御ユニット５５が実行するＳ１３１０の処理（図２０参照）は、第八局面の放送信号生成装置に対応する情報端末が有する抽出手段によって実現される処理の一例に対応し、Ｓ１３３０の処理は、抽出タイミング設定手段によって実現される処理の一例に対応し、Ｓ１３４０〜Ｓ１３６０の処理は、コンテンツ出力手段によって実現される処理の一例に対応する。
【０２８０】
［第十実施例］
続いて、放送信号に含まれる音響ＩＤを用いてユーザの視聴履歴（換言すれば視聴実績）を記録し、ユーザの視聴履歴に応じて、ユーザが所有する情報端末５０に対して提供するネットワークコンテンツを変更する第十実施例の情報提供システム１の構成を図２１〜図２５を用いて説明する。但し、第十実施例の情報提供システム１は、第一実施例と同様のハードウェア構成を有する放送局装置１０、テレビジョン装置３０、情報端末５０及び情報提供サーバ７０を備える。従って、第十実施例の情報提供システム１を構成する各装置のハードウェア構成についての説明は、適宜省略する。
【０２８１】
第十実施例の情報提供システム１は、放送局装置１０が第九実施例と同様の付属コードを含む音響ＩＤを組み込んだ放送信号を出力する。一方、情報提供サーバ７０の記憶ユニット７５は、本実施例特有のデータを記憶する。また、情報提供サーバ７０の制御ユニット７１及び情報端末５０の制御ユニット５５は、本実施例特有の処理を実行する。これらの点で、本実施例の情報提供システム１は、第一実施例の情報提供システム１とはソフトウェア構成が異なる。
【０２８２】
以下では、第十実施例の情報提供システム１の説明として、情報提供サーバ７０の記憶ユニット７５が記憶するデータの構成、情報提供サーバ７０の制御ユニット７１及び情報端末５０の制御ユニット５５が実行する処理の内容を選択的に説明する。
【０２８３】
図２１に示すように、本実施例の記憶ユニット７５は、放送局装置１０から出力される放送コンテンツに対応したネットワークコンテンツの一群を記憶すると共に、ユーザ毎の視聴履歴データと、コンテンツコード毎の提供条件データと、を記憶する。コンテンツコードは、上述したように音響ＩＤの一部を構成するものである。
【０２８４】
本実施例によれば、予めユーザに対して、個別の識別コードであるユーザコードが割り当てられる。そして、情報端末５０から情報提供サーバ７０へは、視聴履歴の登録を要求する登録要求信号として、情報端末５０を所有するユーザのユーザコード及び当該ユーザにより視聴された放送コンテンツに対応するコンテンツコードを含む信号が送信される。
【０２８５】
ユーザ毎の視聴履歴データは、このような登録要求信号に基づき更新されるものであり、記憶ユニット７５は、各ユーザの視聴履歴データを、対応するユーザのユーザコードに関連付けて記憶する。具体的に、視聴履歴データは、該当ユーザによって視聴された放送コンテンツに対応するコンテンツコード、換言すれば、該当ユーザの情報端末５０から送信される登録要求信号に含まれるコンテンツコード毎に、このコンテンツコードと、該当ユーザがこのコンテンツコードに対応する放送コンテンツを視聴した回数（以下「視聴回数」と表現する）の情報と、を有する。
【０２８６】
但し、本実施例においては、同じネットワークコンテンツを提供する対象の放送コンテンツの一群に対しては、同一のコンテンツコードを示す音響ＩＤを付加して、これらを含んだ放送信号を放送するものとする。例えば、異なる製品のコマーシャルであっても、同一シリーズ製品のコマーシャルの放送時には、同一のコンテンツコードを示す音響ＩＤを放送するといった具合である。本実施例では、このように同一系統の放送コンテンツに対し同一のコンテンツコードを付加することにより、同一系統の放送コンテンツの一群毎に、この系統の放送コンテンツの視聴回数を、視聴履歴データ内に記録する。
【０２８７】
また、上記コンテンツコード毎の提供条件データは、記憶ユニット７５が、該当するコンテンツコードに関連付けて記憶するものである。これら各提供条件データは、該当コンテンツコードに対応する放送コンテンツの視聴回数毎に、ユーザに提供すべきネットワークコンテンツの名称及びファイル情報（記憶ユニット７５における該当ネットワークコンテンツの格納位置を表す情報等）を有する。
【０２８８】
例えば、図２１に示す例によれば、コンテンツコード「ＣＴｘｘ１０」に対応する提供条件データは、視聴回数が１回以上であるときには、画像データ（具体的には静止画データ）をネットワークコンテンツとして提供し、視聴回数が５回以上であるときには、動画データをネットワークコンテンツとして提供するように、ネットワークコンテンツの提供条件が記されたデータとして構成されている。
【０２８９】
このような視聴回数に応じて提供するネットワークコンテンツを変更する手法は、例えば、放送コンテンツに対するユーザの関心を増大させたり、放送コンテンツの視聴を促したりする目的で採用することができる。例えば、視聴回数が少ないときには、放送コンテンツに対応する壁紙等のありふれた特典データをユーザに提供し、視聴回数が多いときには、放送コンテンツの特典映像等の稀少なデータをユーザに提供することができる。尚、提供条件データは、視聴回数が所定回未満では（例えば１回であるときには）、ネットワークコンテンツを提供しないように定義されたデータであってもよい。
【０２９０】
続いて、情報端末５０の制御ユニット５５が実行する視聴履歴送信処理について図２２を用いて説明する。視聴履歴送信処理を開始すると、制御ユニット５５は、マイクロフォン５１からの所定時間分の入力信号を解析することで、入力信号に含まれる音響ＩＤを抽出し特定する（Ｓ１４１０）。
【０２９１】
そして、音響ＩＤを特定することができた場合には、Ｓ１４２０で肯定判断し、第九実施例におけるＳ１３３０での処理と同様、上記特定された音響ＩＤに含まれる付属コードに基づき、マイクロフォン５１の入力信号についての次回解析時刻（Ｓ１４１０の次回実行時刻）を設定した後に（Ｓ１４３０）、Ｓ１４４０に移行する。一方、音響ＩＤを特定することができなかった場合には、Ｓ１４２０で否定判断し、Ｓ１４１０の実行時刻から、予め定められたリトライ間隔に対応する時間経過後の時刻を、次回解析時刻に設定した後に（Ｓ１４２５）、Ｓ１４７０に移行する。
【０２９２】
また、Ｓ１４４０に移行すると、制御ユニット５５は、Ｓ１４１０で特定された音響ＩＤが示すコンテンツコードと、予め情報端末５０に登録されたユーザコードと、記した登録要求信号を、情報提供サーバ７０に通信ユニット５３を通じて送信する（Ｓ１４４０）。その後、Ｓ１４７０に移行する。
【０２９３】
Ｓ１４７０に移行すると、制御ユニット５５は、Ｓ１４３０又はＳ１４２５の処理で設定された次回解析時刻が到来するか、Ｓ１４１０〜Ｓ１４４０の処理ルーチンについての終了条件が満足されるまで待機し（Ｓ１４７０，Ｓ１４８０）、終了条件が満足されると（Ｓ１４８０でＹｅｓ）、当該視聴履歴送信処理を終了する。
【０２９４】
一方、次回解析時刻が到来したと判断すると（Ｓ１４７０でＹｅｓ）、Ｓ１４１０に移行して、再度マイクロフォン５１から所定時間分の入力信号を取得及び解析し、Ｓ１４２０以降の処理を実行する。これによって、情報端末５０の近くに位置するテレビジョン装置３０にて再生される音響ＩＤを、情報端末５０のユーザが視聴する放送コンテンツに対応する情報として、マイクロフォン５１の入力信号から取得し、この情報をユーザコードと共に情報提供サーバ７０に送信して、当該ユーザの視聴履歴に関する情報を情報提供サーバ７０に提供する。
【０２９５】
また、登録要求信号を受信する情報提供サーバ７０の制御ユニット７１は、図２３に示す登録受付処理を起動後繰り返し実行する。そして、登録要求信号を、通信ユニット７３を通じて受信すると（Ｓ１５１０でＹｅｓ）、受信した登録要求信号が示すユーザコードに関連付けられた視聴履歴データを更新する。具体的には、上記登録要求信号が示すコンテンツコードの視聴回数を１カウントアップするように、視聴履歴データを更新する（Ｓ１５２０）。情報提供サーバ７０の制御ユニット７１は、このような処理を、登録要求信号を受信する度に実行することによって、各ユーザの視聴履歴を記憶ユニット７５に記憶させる。
【０２９６】
また、情報提供サーバ７０の制御ユニット７１は、上記登録受付処理とは別に、図２４に示すリスト要求受付処理を繰り返し実行する。このリスト要求受付処理を開始すると、制御ユニット７１は、情報端末５０から通信ユニット７３を通じてリスト要求信号を受信するまで待機する。
【０２９７】
そして、リスト要求信号を受信すると（Ｓ１６１０でＹｅｓ）、受信したリスト要求信号が示すユーザコードに対応付けられた視聴履歴データと、提供条件データ群とを比較して、当該ユーザに提供可能なネットワークコンテンツを特定する。そして、当該提供可能なネットワークコンテンツの名称及び対応するコンテンツコードを列挙したコンテンツリストを格納した応答信号を、要求元の情報端末５０に、通信ユニット７３を通じて送信する（Ｓ１６２０）。
【０２９８】
具体的に、Ｓ１６２０では、リスト要求信号が示すユーザコードの視聴履歴データを参照し、当該視聴履歴データに登録されているコンテンツコード毎に、当該視聴履歴データに記されている当該コンテンツコードに対応する放送コンテンツの視聴回数と、当該コンテンツコードに対応する提供条件データとを比較する。
【０２９９】
上述したように提供条件データには、ネットワークコンテンツ毎に、当該ネットワークコンテンツを提供可能な視聴回数が記されている。制御ユニット７１は、上記比較によって、上記提供条件データが示すネットワークコンテンツの内、ユーザの視聴回数が提供条件を満足するネットワークコンテンツを特定し、当該条件を満足する一つ又は複数のネットワークコンテンツの名称及び対応するコンテンツコードを、当該ネットワークコンテンツの情報として、コンテンツリストに登録する。
【０３００】
制御ユニット７１は、このような処理を、視聴履歴データに登録されているコンテンツコード毎に実行することによって、ユーザに対して提供可能なネットワークコンテンツの名称を、コンテンツコードと共に記したコンテンツリストを生成し、このコンテンツリストを格納した応答信号を、要求元に送信する。
【０３０１】
このようなコンテンツリストの送信後、制御ユニット７１は、情報端末５０において、当該送信したコンテンツリストの中から、出力対象のネットワークコンテンツが選択されたか否かを判断する（Ｓ１６３０）。そして、選択されたと判断すると（Ｓ１６３０でＹｅｓ）、該当するネットワークコンテンツを、記憶ユニット７５から読み出し、当該読み出したネットワークコンテンツを、上記情報端末５０に通信ユニット７３を通じて送信する（Ｓ１６４０）。
【０３０２】
具体的に、制御ユニット７１は、コンテンツリストの送信後、所定時間以内に、出力対象のネットワークコンテンツが選択されたことを示す選択通知信号を情報端末５０から受信した場合、出力対象のネットワークコンテンツが選択されたと判断する（Ｓ１６３０でＹｅｓ）。一方、所定時間以内に上記選択通知信号を情報端末５０から受信できなかった場合、出力対象のネットワークコンテンツが選択されなかったと判断する（Ｓ１６３０でＮｏ）。
【０３０３】
そして、出力対象のネットワークコンテンツが選択されたと判断すると（Ｓ１６３０でＹｅｓ）、制御ユニット７１は、上記選択通知信号に記された出力対象のネットワークコンテンツの名称及びコンテンツコードに基づき、このコンテンツコードに関連付けられた提供条件データが示す該当ネットワークコンテンツのファイル情報を参照する。このファイル情報に基づき、該当するネットワークコンテンツを、記憶ユニット７５から読み出し、当該読み出したネットワークコンテンツを、上記情報端末５０に対して通信ユニット７３を通じて送信する（Ｓ１６４０）。その後、当該リスト要求受付処理を終了する。
【０３０４】
一方、出力対象のネットワークコンテンツが選択されなかったと判断すると（Ｓ１６３０でＮｏ）、Ｓ１６４０の処理を実行せずに、当該リスト要求受付処理を終了する。
【０３０５】
また、リスト要求信号を送信する情報端末５０の制御ユニット５５は、図２５に示す取得操作受付処理を繰り返し実行することにより、コンテンツリストの取得を望む旨のユーザ操作（以下「リスト取得操作」と表現する）を受け付けて、後続の処理を実行する。
【０３０６】
具体的に、図２５に示す処理を開始すると、制御ユニット５５は、ユーザインタフェース５７を通じて上記リスト取得操作がなされるまで待機する（Ｓ１７１０）。リスト取得操作がなされると、利用可能なネットワークコンテンツのリストを要求する信号である上記リスト要求信号を、通信ユニット５３を通じて情報提供サーバ７０に送信する（Ｓ１７２０）。このリスト要求信号には、当該情報端末５０に対して予め設定されたユーザコードを格納する。
【０３０７】
このようなユーザコードを含むリスト要求信号を情報提供サーバ７０に送信すると、情報提供サーバ７０からは、該当ユーザが利用可能なネットワークコンテンツのリスト（コンテンツリスト）を含む応答信号が送信されてくる。制御ユニット５５は、この応答信号を、通信ユニット５３を通じて受信し（Ｓ１７３０）、受信した応答信号に含まれるコンテンツリストに基づき、コンテンツリストに列挙されたネットワークコンテンツのいずれを出力するかをユーザに選択させるための出力対象選択画面を、ユーザインタフェース５７を通じて出力する（Ｓ１７４０）。出力対象選択画面としては、例えば、選択可能なネットワークコンテンツ毎に、当該ネットワークコンテンツの名称を、当該ネットワークコンテンツを出力対象として選択するための操作オブジェクトと共に記した画面を表示することができる。
【０３０８】
そして、出力対象選択画面に対するユーザ操作により、出力対象のネットワークコンテンツが選択されると、当該選択されたネットワークコンテンツの名称及びコンテンツコードを記した上記選択通知信号を情報提供サーバ７０に通信ユニット５３を通じて送信する。これによって、情報提供サーバ７０から上記選択されたネットワークコンテンツを取得し、この取得したネットワークコンテンツを、ユーザインタフェース５７を通じて出力する（Ｓ１７５０）。
【０３０９】
ネットワークコンテンツが写真等の静止画データである場合には、その画像をユーザインタフェース５７が備える画面（モニタ）に表示する。ネットワークコンテンツが動画データである場合には、その映像をユーザインタフェース５７が備える画面に表示する一方、音声をユーザインタフェース５７が備えるスピーカを通じて出力する。
【０３１０】
情報端末５０の制御ユニット５５は、このようにしてユーザに提供可能なネットワークコンテンツの内、ユーザにより選択されたネットワークコンテンツを出力して、当該取得操作受付処理を終了する。
【０３１１】
以上、第十実施例の情報提供システム１について説明したが、本実施例によれば、音響ＩＤを用いることで、ユーザの視聴行動に関する情報を収集することができ、この情報をユーザの視聴行動の把握に役立てることができる。また、本実施例によれば、ユーザに対し視聴回数に応じたネットワークコンテンツを提供するので、当該ネットワークコンテンツに対応する放送コンテンツの視聴を促すことができ、又、ネットワークコンテンツに対応する放送コンテンツに対するユーザの関心を増大させることができる。
【０３１２】
例えば、放送コンテンツがコマーシャルである場合には、該当する製品の割引クーポンを表す画像データをネットワークコンテンツとして提供し、視聴回数に応じて割引率が増大するクーポンの画像データをネットワークコンテンツとして提供することによって、そのコマーシャルに対するユーザの関心を増大させることができる。従って、コマーシャルの効果が増大することが期待される。
【０３１３】
この他、放送コンテンツがテレビドラマ等である場合には、テレビドラマの視聴率を増大させること等を目的として、視聴回数に応じて当該テレビドラマの特典映像をネットワークコンテンツとして提供することが考えられる。ネットワークコンテンツとしては、テレビドラマの過去の放送回分を視聴可能な動画データを提供されてもよい。
【０３１４】
例えば、テレビドラマを、一定の話数視聴している場合に、このテレビドラマの過去放送分の動画データをネットワークコンテンツとして提供するようにすれば、何らかの事情でユーザが視聴できなかった放送回の動画データをユーザに提供することができて、ユーザの不満を解消することができる。尚、動画データの提供は、データファイルそのものをユーザの情報端末５０に送信することによって実現されてもよいが、この動画データをストリーム配信することによって実現されてもよい。
【０３１５】
また、一話分のテレビドラマを複数区画に分けて、各区画に対して異なるコンテンツコードを割り当てれば、ユーザが、一話分のテレビドラマの内、どの区画までを視聴し、どの区画からを視聴しなかったかを情報提供サーバ７０で視聴履歴として記録することができ、ユーザの視聴行動の詳細な分析が可能となる。また、テレビドラマの視聴していない区画の動画データを、ネットワークコンテンツとして提供するといったことも可能である。従って、本実施例によれば、音響ＩＤの利用促進を図ることができる。
【０３１６】
尚、本実施例では、Ｓ１６４０においてネットワークコンテンツ自体を、情報端末５０に送信するようにしたが、Ｓ１６４０においては、ネットワークコンテンツのＵＲＬ情報を、情報端末に送信するようにしてもよい。
【０３１７】
また、本実施例の情報提供システム１は、上述した第九局面及び第十局面の視聴情報管理システムの一例に対応し、情報端末５０の制御ユニット５５が実行するＳ１４１０の処理（図２２参照）は、抽出手段によって実現される処理の一例に対応し、Ｓ１４４０の処理は、コード送信手段によって実現される処理の一例に対応し、情報提供サーバ７０の制御ユニット７１が実行するＳ１５２０の処理（図２３参照）は、管理サーバが有する更新手段によって実現される処理の一例に対応し、制御ユニット７１が実行するリスト要求受付処理（図２４参照）は、ネットワークコンテンツ配信手段及びコンテンツ情報配信手段の一例に対応する。
【０３１８】
［第十一実施例］
続いて、放送信号に含まれる音響ＩＤに基づき、放送コンテンツの録画予約を行う録画予約システム１００の構成を、第十一実施例として説明する。
【０３１９】
本実施例の録画予約システム１００は、図２６に示すように、第一実施例と同一の放送局装置１０からの放送信号を受信及び再生するテレビジョン装置１３０と、テレビジョン装置１３０による放送信号の再生音から音響ＩＤを抽出する情報端末１５０と、放送局装置１０からの放送信号を受信して放送コンテンツを録画する録画装置１７０と、を備える。この録画予約システム１００は、視聴者によって所有されるテレビジョン装置１３０、情報端末１５０及び録画装置１７０とは別に、広域ネットワーク（例えばインターネット）を通じて録画装置１７０からアクセス可能な情報管理サーバ１９０を備える。
【０３２０】
テレビジョン装置１３０は、周知のテレビジョン装置と同様、放送局から受信した放送信号を再生し、その放送信号に含まれる放送コンテンツに対応する映像を画面に表示すると共に、その放送コンテンツに対応する音声を、スピーカ１３１を通じて音声出力するものである。第一実施例と同様、放送信号には音響ＩＤが組み込まれているため、放送信号の再生によりテレビジョン装置１３０のスピーカ１３１から出力される放送信号の再生音には、放送コンテンツに対応するユーザが認識可能な音声の他、ユーザが認識困難な音響ＩＤに対応する音声が含まれる。
【０３２１】
一方、情報端末１５０は、マイクロフォン１５１と、通信ユニット１５３と、制御ユニット１５５と、ユーザインタフェース１５７と、近距離通信ユニット１５９と、を備える。この情報端末１５０が備えるマイクロフォン１５１は、テレビジョン装置１３０から出力される放送信号の再生音を収集可能なマイクロフォンであり、この再生音を電気信号として制御ユニット１５５に入力する。
【０３２２】
一方、通信ユニット１５３は、第一実施例の通信ユニット５３と同様、広域ネットワークに接続可能な構成にされたものである。また、制御ユニット１５５は、ＲＯＭ１５５ａに記録されたプログラムに従って、各種処理を実行し、情報端末全体を統括制御するものである。この制御ユニット１５５は、ＲＯＭ１５５ａに記録されたプログラムに従って、例えば、マイクロフォン１５１から電気信号として入力されるテレビジョン装置１３０の再生音を解析し、この再生音に含まれる音響ＩＤを当該再生音から抽出し、この音響ＩＤを含む要求信号であって、この音響ＩＤに対応する放送コンテンツの次回放送分の録画予約を要求する予約要求信号を、録画装置１７０に送信する。
【０３２３】
また、ユーザインタフェース１５７は、第一実施例のユーザインタフェース５７と同様、ユーザと制御ユニット１５５との間の情報伝達を行うインタフェースであり、画面やスピーカを通じてユーザに対し各種情報を出力する一方、タッチパネルやキースイッチ等を通じてユーザからの入力を受け付けるものである。
【０３２４】
この他、近距離通信ユニット１５９は、例えばブルートゥース（登録商標）規格の無線通信ユニットとして構成されるものであり、例えば２．４ＧＨｚ帯の無線電波を用いて外部装置と無線通信する。この近距離通信ユニット１５９は、録画装置１７０との通信に用いられる。即ち、予約要求信号は、この近距離通信ユニット１５９を通じて録画装置１７０に送信される。
【０３２５】
また、録画装置１７０は、制御ユニット１７１と、通信ユニット１７３と、記憶ユニット１７５と、近距離通信ユニット１７９と、を備えるものである。
制御ユニット１７１は、放送局から送信されてくる放送信号を受信し、その放送信号に基づき、録画予約された放送コンテンツを録画するものである。具体的に、制御ユニット１７１は、放送局からの放送信号を受信し、放送信号に含まれる放送コンテンツの録画データ（動画データ）を、例えばハードディスク装置によって構成される記憶ユニット１７５に記録することによって、録画予約された放送コンテンツを録画する。また、この制御ユニット１７１は、図示しないリモートコントローラ等を通じて、ユーザから録画データの再生要求信号が入力されると、要求された録画データを再生し、テレビジョン装置１３０の画面及びスピーカ１３１を通じて、録画データに対応する映像及び音声をユーザに向けて出力する。
【０３２６】
この他、制御ユニット１７１は、近距離通信ユニット１７９を通じて情報端末５０と近距離無線通信し、情報端末５０から近距離通信ユニット１７９を通じて受信した予約要求信号に従って、情報端末５０が録画予約を要求する放送コンテンツの録画予約情報を記憶ユニット１７５に登録する。これにより、当該放送コンテンツの録画予約を行い、この録画予約情報に従って、対応する放送コンテンツを録画する。録画予約情報には、録画すべき放送コンテンツを放送する放送局及び放送日時の情報が含まれる。この制御ユニット１７１は、予約要求信号に基づく録画予約を行う際、広域ネットワークに接続された通信ユニット１７３を通じて、外部の情報管理サーバ１９０と通信し、情報管理サーバ１９０から上記録画予約を要求された放送コンテンツの録画予約に必要な情報を取得する。
【０３２７】
また、情報管理サーバ１９０は、制御ユニット１９１、通信ユニット１９３、及び、記憶ユニット１９５を備え、録画装置１７０から広域ネットワークを通じて送信されてくる問合せ信号に対応する応答信号を問合せ元の録画装置１７０に送信することにより、録画予約に必要な情報を録画装置１７０に提供するものである。
【０３２８】
具体的に、制御ユニット１９１は、ＲＯＭ１９１ａに記録されたプログラムに従って、問合せ信号に対応する応答信号を、通信ユニット１９３を通じて問合せ元の録画装置１７０に送信する。通信ユニット１９３は、録画装置１７０と同一の広域ネットワークに接続され、広域ネットワークを通じて録画装置１７０と通信可能に構成されたものである。
【０３２９】
この他、記憶ユニット１９５は、ハードディスク装置等から構成され、音響ＩＤ毎の録画条件データを記憶する。図２７に示すように録画条件データは、音響ＩＤと、当該音響ＩＤに対応する放送コンテンツの次回放送日時を含む録画条件詳細データとが関連付けられてなるデータである。
【０３３０】
制御ユニット１９１は、起動すると図２８に示す処理を繰り返し実行することにより、録画装置１７０からの問合せ信号を受け付けて、問合せ信号が示す音響ＩＤに対応する録画条件データを格納した応答信号を問合せ元の録画装置１７０に送信する。
【０３３１】
即ち、図２８に示す処理を開始すると、制御ユニット１９１は、録画装置１７０からの問合せ信号を、通信ユニット１９３を通じて受信するまで待機する。問合せ信号を受信すると（Ｓ１８１０でＹｅｓ）、受信した問合せ信号が示す音響ＩＤに基づき、当該音響ＩＤに関連付けられた録画条件データを記憶ユニット１９５から読み出し、当該読み出した録画条件データを格納した応答信号を生成する（Ｓ１８２０）。その後、制御ユニット１９１は、Ｓ１８２０で生成した応答信号を、通信ユニット１９３を通じて、問合せ元の録画装置１７０に送信して（Ｓ１８３０）、図２８に示す処理を終了する。
【０３３２】
一方、上記問合せ信号を送信する録画装置１７０の制御ユニット１７１は、図２９に示す処理を繰り返し実行することにより、情報端末１５０からの予約要求信号を受け付けて、要求された放送コンテンツに対する録画予約を行う。図２９に示す処理を開始すると、制御ユニット１７１は、情報端末１５０から近距離通信ユニット１７９を通じて予約要求信号を受信するまで待機する。予約要求信号を受信すると（Ｓ１９１０でＹｅｓ）、受信した予約要求信号が示す音響ＩＤを記した問合せ信号を、通信ユニット１７３を通じて情報管理サーバ１９０に送信し（Ｓ１９２０）、情報管理サーバ１９０から送信されてくる応答信号を受信する（Ｓ１９３０）。
【０３３３】
応答信号を受信すると、この応答信号が有する録画条件データに基づき録画予約を行う前に、当該録画予約を実行してもよいか否かを確認する信号である予約確認信号を、上記予約要求信号送信元の情報端末１５０に近距離通信ユニット１７９を通じて送信する（Ｓ１９４０）。この予約確認信号には、応答信号に含まれる録画条件データを格納することができる。
【０３３４】
この予約確認信号を情報端末１５０に送信すると、情報端末１５０は、録画条件データが示す放送コンテンツの次回放送日時等の情報と共に、ユーザに対して録画予約を許可するか否かを問い合わせるメッセージを、ユーザインタフェース１５７を通じて表示する。そして、このメッセージに応じたユーザの操作により、ユーザインタフェース５７から入力された録画予約を許可するか否かのユーザの意思を表す信号を、録画装置１７０に近距離通信ユニット１７９を通じて送信する。
【０３３５】
録画装置１７０の制御ユニット１７１は、この録画予約を許可するか否かのユーザの意思を表す信号を、近距離通信ユニット１７９を通じて受信し、その受信結果に従って、ユーザにより録画予約の実行が許可されたか否かを判断する（Ｓ１９５０）。
【０３３６】
そして、録画予約の実行が許可されたと判断すると（Ｓ１９５０でＹｅｓ）、受信した上記録画条件データに基づき、上記音響ＩＤに対応する放送コンテンツの次回放送日時に対して録画予約を行う（Ｓ１９６０）。
【０３３７】
録画条件データには、次回放送日時の情報が含まれ、音響ＩＤには、放送局コードが含まれる。制御ユニット１７１は、これらの情報に基づき、録画条件データが示す次回放送日時を録画日時に設定し、音響ＩＤが示す放送局コードに対応する放送チャネルを放送コンテンツの受信チャネルに設定して、これらの設定内容を記した録画予約情報を記憶ユニット１７５に登録する。これにより、上記音響ＩＤに対応する放送コンテンツの次回放送日時に対して録画予約を行う。その後、予約完了の旨を通知する予約完了通知信号を、近距離通信ユニット１７９を通じて、予約要求信号送信元の情報端末１５０に送信した後（Ｓ１９７０）、図２９に示す処理を終了する。
【０３３８】
一方、録画予約の実行が許可されていない（即ち、キャンセルされた）と判断すると（Ｓ１９５０でＮｏ）、制御ユニット１７１は、録画予約の実行をキャンセルした旨を通知するキャンセル通知信号を、近距離通信ユニット１７９を通じて、予約要求信号送信元の情報端末１５０に送信した後（Ｓ１９８０）、図２９に示す処理を終了する。
【０３３９】
また、情報端末１５０の制御ユニット１５５は、起動後図３０に示す処理を繰り返し実行する。図３０に示す処理を開始すると、制御ユニット１５５は、音響ＩＤを用いた放送コンテンツの録画予約を行う旨のユーザ操作（以下「録画予約操作」と表現する）がユーザインタフェース１５７を通じてなされるまで待機する（Ｓ２０１０でＮｏ）。そして、録画予約操作がなされると（Ｓ２０１０でＹｅｓ）、マイクロフォン１５１を占有し、マイクロフォン１５１からの入力信号である当該マイクロフォン１５１が収集した音声についての電気信号を所定時間分取得し、この入力信号を解析することにより、入力信号に含まれる現在放送及び再生中の音響ＩＤを抽出して特定する（Ｓ２０２０）。
【０３４０】
Ｓ２０２０で音響ＩＤを特定することができなかった場合、制御ユニット１５５は、Ｓ２０２５で否定判断し、音響ＩＤを取得できなかった旨のメッセージを表示した後（Ｓ２０２９）、Ｓ２０１０に処理を戻す。一方、Ｓ２０２０で音響ＩＤを正常に特定することができた場合、Ｓ２０２５で肯定判断し、Ｓ２０３０以降の処理を実行する。
【０３４１】
Ｓ２０３０に移行すると、制御ユニット１５５は、Ｓ２０２０で特定した音響ＩＤを、録画予約対象の音響ＩＤとして記した予約要求信号を、近距離通信ユニット１７９を通じて録画装置１７０に送信する（Ｓ２０３０）。予約要求信号を録画装置１７０に送信すると、録画装置１７０からは、上述した予約確認信号が送信されてくるので、予約要求信号の送信後には、録画装置１７０から送信されてくる上記予約確認信号を、近距離通信ユニット１７９を通じて受信する（Ｓ２０４０）。
【０３４２】
そして、受信した予約確認信号が有する録画条件データに基づき、録画装置１７０で録画予約される放送コンテンツについての放送日時や、この放送コンテンツの録画予約を行ってもよいか否かをユーザに問い合わせるメッセージを記した予約確認画面を、ユーザインタフェース１５７を通じて表示し、この予約確認画面に対するユーザの操作に従って、録画装置１７０が実行しようとする録画予約を許可するか否かについてのユーザの意思を表す信号を、近距離通信ユニット１７９を通じて録画装置１７０に送信する（Ｓ２０５０）。
【０３４３】
このような信号を録画装置１７０に送信すると、録画装置１７０から情報端末１５０に対しては、上述したように予約完了通知信号又はキャンセル通知信号が近距離通信ユニット１７９を通じて送信されてくる。
【０３４４】
情報端末１５０の制御ユニット１５５は、このような通知信号を受信すると（Ｓ２０６０）、この通知信号に基づき、録画予約が完了した否かを判断する（Ｓ２０７０）。録画予約が完了したと判断すると（Ｓ２０７０でＹｅｓ）、録画予約が完了した旨のメッセージを、ユーザインタフェース１５７を通じて表示した後（Ｓ２０８０）、図３０に示す処理を終了する。一方、録画予約がキャンセルされたと判断すると（Ｓ２０７０でＮｏ）、録画予約がキャンセルされた旨のメッセージを、ユーザインタフェース１５７を通じて表示した後（Ｓ２０９０）、図３０に示す処理を終了する。
【０３４５】
以上、本実施例の録画予約システム１００について説明したが、この録画予約システム１００によれば、音響ＩＤを利用することで、ユーザによる録画予約操作を簡便にすることができる。例えば、ユーザは、次回も視聴しようと考えるドラマの放送中に、情報端末１５０に対して録画予約操作を行えば、情報端末１５０に、この際に放送される音響ＩＤを用いた録画装置１７０に対する録画予約を実行させることができる。即ち、この録画予約操作に対する情報端末５０からの問合せに対していくつかの簡単な操作を情報端末５０に加える程度で、このドラマの次回放送分の録画予約を、録画装置１７０に対して行うことができる。従って、本実施例によれば、情報コードの利用を促進することができる。
【０３４６】
尚、本実施例では、情報端末１５０から録画装置１７０に対して音響ＩＤを記した予約要求信号を送信し、録画装置１７０に、この音響ＩＤに対応する録画条件データを情報管理サーバ１９０から取得させるようにした。しかしながら、録画予約システム１００は、情報端末１５０が、Ｓ２０２０で特定した音響ＩＤを記した問合せ信号をＳ２０３０において通信ユニット１５３を通じて情報管理サーバ１９０に送信し、その応答信号を受信し、この応答信号に含まれる録画条件データを格納した予約要求信号を録画装置１７０に近距離通信ユニット１５９を通じて送信する構成にされてもよい。
【０３４７】
そして、録画装置１７０の制御ユニット１７１は、予約要求信号を受信したと判断すると（Ｓ１９１０でＹｅｓ）、Ｓ１９２０，Ｓ１９３０の処理を実行せずに、Ｓ１９４０において情報端末１５０から受信した予約要求信号が有する録画条件データに基づき、予約確認信号を送信して、Ｓ１９５０以降の処理を実行する構成にされてもよい。
【０３４８】
この他、放送局から放送コンテンツと音響ＩＤとの対応関係が放送スケジュールと共に記述された電子番組表が放送される場合、録画装置１７０は、放送信号から電子番組表の情報を抽出して記憶ユニット１７５に記憶する構成にされてもよい。更に、録画装置１７０は、情報端末１５０から予約要求信号を受信すると（Ｓ１９１０でＹｅｓ）、Ｓ１９２０，１５３０の処理に代えて、受信した予約要求信号が示す音響ＩＤを電子番組表内で検索して、音響ＩＤに対応する放送コンテンツの次回放送日時を特定する処理を実行し、この特定した情報を、上記録画条件データの代わりに用いて、Ｓ１９４０以降の処理を実行する構成にされてもよい。
【０３４９】
このような録画予約システムの構成によっても、音響ＩＤを利用して、ユーザにとって簡単な操作でユーザ所望の放送コンテンツに対する録画予約を行うことができる。
また、上記実施例によれば、録画装置１７０とテレビジョン装置１３０とが別体である録画予約システム１００について説明したが、録画装置１７０とテレビジョン装置１３０とは一体に構成されてもよい。即ち、本実施例の録画予約システム１００は、録画装置１７０及びテレビジョン装置１３０に代えて、録画機能付のテレビジョン装置を用いて構成されてもよい。
【０３５０】
本実施例の録画予約システム１００は、上述した第十一局面の録画予約システムの一例に対応し、情報端末１５０の制御ユニット１５５が実行するＳ２０２０の処理（図３０参照）は、抽出手段によって実現される処理の一例に対応し、Ｓ２０３０の処理は、録画予約要求手段によって実現される処理の一例に対応し、録画装置１７０の制御ユニット１７１が実行するＳ１９１０の処理（図２９参照）は、要求信号受信手段によって実現される処理の一例に対応し、Ｓ１９２０，Ｓ１９３０，Ｓ１９６０の処理は、録画予約手段によって実現される処理の一例に対応し、情報管理サーバ１９０は、記憶装置の一例に対応する。
【０３５１】
［第十二実施例］
続いて、第十二実施例の情報提供システム１について説明する。
第十二実施例の情報提供システム１は、第一実施例の情報提供システム１（図１参照）と同様に、テレビジョン装置３０と情報端末５０とを備える。本実施例におけるテレビジョン装置３０及び情報端末５０のハードウェア構成は、第一実施例と同様である。
【０３５２】
但し、情報端末５０における制御ユニット５５は、図６Ａ及び図６Ｂに示す処理に代えて、又は、図６Ａ及び図６Ｂに示す処理に加えて、図３１に示す処理を繰り返し実行する。また、ＲＯＭ５５ａには、コンピュータゲームのプログラムがインストールされており、制御ユニット５５は、当該プログラムに従ってコンピュータゲームを実行可能な構成にされている。これらの点で、本実施例は、第一実施例とは異なる。
【０３５３】
本実施例の情報端末５０は、起動すると、制御ユニット５５にて、図３１に示す処理を繰り返し実行する。これによって、コンピュータゲームのプレイを望むユーザの操作を、ユーザインタフェース５７を通じて受け付ける。
【０３５４】
制御ユニット５５は、図３１に示す処理を開始すると、コンピュータゲームのプレイを要求するユーザ操作がユーザインタフェース５７を通じてなされるまで待機する（Ｓ２１１０）。そして、当該操作がなされると（Ｓ２１１０でＹｅｓ）、マイクロフォン５１からの入力信号を解析することにより、入力信号に含まれる現在放送及び再生中の音響ＩＤを特定する（Ｓ２１２０）。即ち、入力信号に含まれる音響ＩＤを抽出する。
【０３５５】
図３１に示す処理は、第一実施例と同様、放送信号に含まれる音響ＩＤを利用するものである。このため、情報端末５０は、テレビジョン装置３０のスピーカ３１から出力される再生音を収集できるような位置に存在する必要がある。
【０３５６】
情報端末５０がテレビジョン装置３０の近くに存在しない等の理由により、Ｓ２１２０で音響ＩＤを特定することができなかった場合、制御ユニット５５は、Ｓ２１２５で否定判断し、音響ＩＤを取得できなかった旨のメッセージを、ユーザインタフェース５７を通じてユーザに表示した後（Ｓ２１２９）、Ｓ２１１０に処理を戻す。
【０３５７】
一方、Ｓ２１２０で音響ＩＤを正常に特定することができた場合には、Ｓ２１２５で肯定判断して、Ｓ２１３０以降の処理を実行する。
Ｓ２１３０に移行すると、制御ユニット５５は、Ｓ２１２０で特定した音響ＩＤが、予め登録されたコンピュータゲーム用の音響ＩＤであるか否かを判断する。コンピュータゲーム用の音響ＩＤは、上位コードと下位コードとからなる。上位コードは、コンピュータゲームの識別コードを表す。
【０３５８】
下位コードは、例えば、音響ＩＤが付加される放送コンテンツの種類毎に異なるコードとして構成される。別例として、下位コードは、音響ＩＤの放送毎に更新されるコードとして構成される。
【０３５９】
Ｓ２１３０では、コンピュータゲームのインストール時に当該ゲームの識別コードが登録されるデータベース（図示せず）を参照して、Ｓ２１２０で特定した音響ＩＤに対応するコンピュータゲームが情報端末５０にインストールされているか否かを判断する。このデータベースは、例えばフラッシュメモリで構成されるＲＯＭ５５ａに記憶される。
【０３６０】
そして、音響ＩＤに対応するコンピュータゲームがインストールされていないと判断すると（Ｓ２１３０でＮｏ）、対応するコンピュータゲームがインストールされていない旨のエラーメッセージを、ユーザインタフェース５７を通じてユーザに表示した後（Ｓ２１３９）、Ｓ２１１０に処理を戻す。
【０３６１】
一方、音響ＩＤに対応するコンピュータゲームがインストールされていると判断すると（Ｓ２１３０でＹｅｓ）、コンピュータゲームのプレイ履歴を参照して、Ｓ２１２０で特定した音響ＩＤが使用済の音響ＩＤであるか否かを判断する（Ｓ２１４０）。
【０３６２】
プレイ履歴には、コンピュータゲームのプレイ毎に、このゲームプレイを許可するのに用いた音響ＩＤが登録される。本実施例では、コンピュータゲームのプレイを、このコンピュータゲームに対応する音響ＩＤであって下位コードの異なる音響ＩＤの取得毎に、ユーザに対して１度のみ許可する。Ｓ２１４０では、このような制御を行うために、Ｓ２１２０で特定した音響ＩＤが使用済の音響ＩＤであるか否かを、Ｓ２１２０で特定した音響ＩＤがプレイ履歴に登録されているか否かによって判断する。
【０３６３】
そして、特定した音響ＩＤが使用済の音響ＩＤであると判断すると（Ｓ２１４０でＹｅｓ）、コンピュータゲームのプレイを拒否する旨のメッセージを、ユーザインタフェース５７を通じてユーザに表示した後（Ｓ２１４９）、Ｓ２１１０に処理を戻す。
【０３６４】
一方、特定した音響ＩＤが使用済の音響ＩＤではないと判断すると（Ｓ２１４０でＮｏ）、制御ユニット５５は、対応するコンピュータゲームを実行することにより、コンピュータゲームのプレイをユーザに対して許可する（Ｓ２１５０）。更に、Ｓ２１２０で特定した音響ＩＤを上記プレイ履歴に登録する（Ｓ２１６０）。
【０３６５】
本実施例の制御ユニット５５は、このような処理（Ｓ２１１０〜Ｓ２１６０）を繰り返し実行することにより、新たな音響ＩＤをテレビジョン装置３０の再生音から抽出する度に、コンピュータゲームのプレイを許可する。
【０３６６】
コンピュータゲームとしては、スロットゲームを一例に挙げることができる。スロットゲームで得られたポイントに応じて、賞品（電子的な賞品を含む）をユーザに提供するようなサービスを提供すれば、例えば、放送コンテンツとしてのコマーシャルの広告効果を向上させることができ、広告主及び消費者の双方にとって利益のある広告システムを構築することができる。従って、本実施例によれば、情報コードの利用を促進することができる。
【０３６７】
特に、本実施例によれば、過去のプレイに用いた音響ＩＤと同じ音響ＩＤでは、ゲームのプレイを許可しないので、一層、コマーシャルの広告効果を向上させることができる。また、連続ドラマ等に関し、各回の放送毎に異なる音響ＩＤを放送信号に含ませて、各回の視聴毎に、コンピュータゲームをプレイする権利をユーザに付与すれば、その連続ドラマ等の視聴率を向上させることができる。
【０３６８】
尚、本実施例において情報端末５０の制御ユニット５５が実行するＳ２１２０の処理は、上述した第十二局面の情報端末が有する抽出手段によって実現される処理の一例に対応する。また、Ｓ２１３０以降の処理は、許可手段によって実現される処理の一例に対応する。
【０３６９】
［最後に］
第一実施例から第十二実施例までを以上に説明したが、本発明は、上記実施例に限定されるものではなく、種々の態様を採り得ることは言うまでもない。例えば、第一実施例から第十二実施例に開示したシステムや装置の構成の内、両立し得る構成については、組み合わせることが可能である。また、上述した各システムを構成する装置は、専ら当該システムに用いられる装置として構成されてもよいし、当該システムへの適用に限定されない汎用の装置として構成されてもよい。
【０３７０】
この他、第一実施例では、出力対象選択画面を通じてユーザにより選択されたネットワークコンテンツを出力するようにした（Ｓ２５０，Ｓ２６０）。しかしながら、ユーザが所望するネットワークコンテンツを次のように推定して、このネットワークコンテンツを出力するように、情報端末５０は構成されてもよい。
【０３７１】
即ち、情報端末５０は、ユーザが所望するネットワークコンテンツに対応する情報コードの放送時刻から、ユーザの操作を契機に情報コードの取得動作を行うまでのタイムラグを推定し、取得した情報コードから推定したタイムラグ分前に放送された情報コードを情報提供サーバ７０から取得し、この情報コードに対応するネットワークコンテンツをユーザに向けて出力するように構成されてもよい。
【０３７２】
また、第九実施例では、音響ＩＤ本体部の値が次に切り替えられるまでの残り時間に基づき、適切な時期に効率的に音響ＩＤの抽出動作を実行するようにしたが、このような抽出動作は、情報端末５０の周囲に人が存在しているときだけ行うようにしてもよい。即ち、情報端末５０は、周囲に人がいるか否かを判断し、周囲に人がいない期間には、図２０に示す処理の実行を一時停止する構成にされてもよい。また、情報端末５０は、一時停止中において、スリープモードに移行する構成にされてもよい。
【０３７３】
また、情報端末５０がテレビジョン装置３０の近くに存在しない場合には、情報コードを抽出することができないため、図２０に示す処理の実行は不要である。従って、情報端末５０は、テレビジョン装置３０からのウェイクアップ指令に基づいて、図２０に示す処理を開始する構成にされてもよい。情報端末５０は、図２０に示す処理の開始後、一定期間、情報コードを抽出することができない場合に、図２０に示す処理を終了して、スリープモードに移行する構成にすることができる。ウェイクアップ指令は、例えば、近距離無線通信によりテレビジョン装置３０から情報端末５０に入力することができる。
【０３７４】
この他、既存のシステムとして、ユーザが望む番組の放送時刻が近づくと、電子メールにより、番組が開始される旨をユーザに知らせるシステムが知られているが、このシステムを利用して、情報端末５０に、図２０に示す処理を開始させるようにしてよい。即ち、情報端末５０は、特定の電子メールを受信すると、図２０に示す処理を開始する構成にされてもよい。
【図１】
2013118711.tif 000003
【図２Ａ】
2013118711.tif 000004
【図２Ｂ】
2013118711.tif 000005
【図３Ａ】
2013118711.tif 000006
【図３Ｂ】
2013118711.tif 000007
【図４】
2013118711.tif 000008
【図５】
2013118711.tif 000009
【図６Ａ】
2013118711.tif 000010
【図６Ｂ】
2013118711.tif 000011
【図７Ａ】
2013118711.tif 000012
【図７Ｂ】
2013118711.tif 000013
【図８Ａ】
2013118711.tif 000014
【図８Ｂ】
2013118711.tif 000015
【図８Ｃ】
2013118711.tif 000016
【図９Ａ】
2013118711.tif 000017
【図９Ｂ】
2013118711.tif 000018
【図１０】
2013118711.tif 000019
【図１１】
2013118711.tif 000020
【図１２Ａ】
2013118711.tif 000021
【図１２Ｂ】
2013118711.tif 000022
【図１３Ａ】
2013118711.tif 000023
【図１３Ｂ】
2013118711.tif 000024
【図１３Ｃ】
2013118711.tif 000025
【図１４】
2013118711.tif 000026
【図１５Ａ】
2013118711.tif 000027
【図１５Ｂ】
2013118711.tif 000028
【図１６Ａ】
2013118711.tif 000029
【図１６Ｂ】
2013118711.tif 000030
【図１６Ｃ】
2013118711.tif 000031
【図１７】
2013118711.tif 000032
【図１８Ａ】
2013118711.tif 000033
【図１８Ｂ】
2013118711.tif 000034
【図１９Ａ】
2013118711.tif 000035
【図１９Ｂ】
2013118711.tif 000036
【図１９Ｃ】
2013118711.tif 000037
【図２０】
2013118711.tif 000038
【図２１】
2013118711.tif 000039
【図２２】
2013118711.tif 000040
【図２３】
2013118711.tif 000041
【図２４】
2013118711.tif 000042
【図２５】
2013118711.tif 000043
【図２６】
2013118711.tif 000044
【図２７】
2013118711.tif 000045
【図２８】
2013118711.tif 000046
【図２９】
2013118711.tif 000047
【図３０】
2013118711.tif 000048
【図３１】
2013118711.tif 000049
【国際調査報告】
2013118711.tif 000050
2013118711.tif 000051
2013118711.tif 000052
2013118711.tif 000053